(57)【特許請求の範囲】
【請求項１】
液晶パネルに表示される映像データを供給し、システムディミング信号を生成するシステム部と；
前記システムディミング信号の入力を受けてそのまま出力し、バックライトユニットの照度を制御するインバータ部と；
前記液晶パネルの映像表示を制御し、前記インバータ部から前記システムディミング信号の入力を受けて、前記液晶パネルが一般モードで動作して前記映像データの階調を変換しない場合、前記システムディミング信号をそのままコントロールディミング信号として生成し、前記液晶パネルが高級モードで動作して前記映像データの階調を変換する場合、前記バックライトユニットの発光回数及び照度が減少するように前記システムディミング信号を変調して前記コントロールディミング信号を生成し、前記インバータ部に前記コントロールディミング信号を出力するコントロール部と
を含み、前記インバータ部は、前記コントロール部から入力されるコントロールディミング信号を利用して前記バックライトユニットの照度を制御する
ことを特徴とする液晶表示装置の駆動システム。
【請求項２】
前記コントロール部は、一般モードまたは高級モードを選択するための高級モードイネーブル信号の入力を受けて前記インバータ部に前記コントロールディミング信号を出力することを特徴とする請求項１に記載の液晶表示装置の駆動システム。
【請求項３】
前記システムディミング信号は、アナログＤＣ（direct current）電圧信号形式でのみ伝達されるＶＢＲ−Ａ方式ディミング信号と、前記アナログＤＣ電圧信号形式及びＰＷＭ（pulse width modulation）信号形式のうち選択された一つで伝達される第１ＶＢＲ−Ｂ方式ディミング信号を含み、前記コントロールディミング信号は、前記アナログＤＣ電圧信号形式と前記ＰＷＭ信号形式のうち選択された一つで伝達される第２ＶＢＲ−Ｂ方式ディミング信号を含むことを特徴とする請求項１に記載の液晶表示装置の駆動システム。
【請求項４】
前記コントロールディミング信号は、前記一般モードまたは前記高級モードを選択するための高級モードイネーブル信号に従って、
ａ）前記システムディミング信号と、
ｂ）前記コントロール部のタイミングコントローラによって生成される変調されたディミング信号
の中から選択されることを特徴とする請求項１に記載の液晶表示装置の駆動システム。
【請求項５】
前記コントロール部は、前記システムディミング信号と前記変調されたディミング信号の中一つを選択する第１ＭＵＸ（multiplexer）をさらに含むことを特徴とする請求項４に記載の液晶表示装置の駆動システム。
【請求項６】
前記コントロール部は、
前記映像データの階調を変換して階調変換された前記映像データに対応する階調変換状態信号を出力するデータ変換部と、前記階調変換状態信号によって前記バックライトユニットの発光回数及び照度が減少するように前記システムディミング信号を変調して前記コントロールディミング信号を生成するディミング信号変調部を含み、前記システムディミング信号が入力されるＤＣ入力端子、及びＰＷＭ入力端子と、前記コントロールディミング信号が出力されるＤＣ出力端子及びＰＷＭ出力端子を有するタイミングコントローラと；
前記タイミングコントローラの前記ＤＣ入力端子及び前記ＰＷＭ入力端子のうち前記システムディミング信号の形式によって選択された一つに前記システムディミング信号を入力する第１ＭＵＸと；
前記タイミングコントローラの前記ＤＣ出力端子及び前記ＰＷＭ出力端子のうち前記コントロールディミング信号の形式によって選択された一つに前記コントロールディミング信号を入力する第２ＭＵＸと
を含むことを特徴とする請求項１に記載の液晶表示装置の駆動システム。
【請求項７】
前記コントロール部は、
前記映像データの階調を変換して階調変換された前記映像データに対応する階調変換状態信号を出力するデータ変換部と、前記システムディミング信号のアナログＤＣ電圧信号形式を変換されたＰＷＭ信号形式に変換して出力するアナログ−ＰＷＭ変換部と、階調変換状態信号によって前記バックライトユニットの発光回数及び照度が減少するように前記アナログ−ＰＷＭ変換部から出力される前記システムディミング信号を変調して前記コントロールディミング信号を生成するディミング信号変調部を含み、前記システムディミング信号が入力されるＤＣ入力端子及びＰＷＭ入力端子と、前記コントロールディミング信号が出力されるＤＣ出力端子及びＰＷＭ出力端子を有するタイミングコントローラと；
前記タイミングコントローラの前記ＤＣ入力端子及び前記ＰＷＭ入力端子のうち前記システムディミング信号の形式によって選択された一つに前記システムディミング信号を入力する第１ＭＵＸと
を含むことを特徴とする請求項１に記載の液晶表示装置の駆動システム。
【請求項８】
前記アナログＤＣ電圧信号の最大及び最小電圧レベルがそれぞれ前記変調したＰＷＭ信号の３０％及び１００％の高電圧幅比率に対応するように前記アナログＤＣ電圧信号が前記変換されたＰＷＭ信号に変換されることを特徴とする請求項７に記載の液晶表示装置の駆動システム。
【請求項９】
前記アナログＤＣ電圧信号の前記最大及び最小電圧レベルはそれぞれ０．０Ｖ及び３．３Ｖであることを特徴とする請求項８に記載の液晶表示装置の駆動システム。
【請求項１０】
前記コントロール部は、前記映像データの階調を変換して階調変換された前記映像データに対応する階調変換状態信号を出力するデータ変換部と、前記システムディミング信号の形式を判断して判断結果によって前記システムディミング信号を選択的に出力するディミング信号判別部と、前記システムディミング信号のアナログＤＣ電圧信号形式を変換されたＰＷＭ信号形式に変換して出力するアナログ−ＰＷＭ変換部と、前記階調変換状態信号によって前記バックライトユニットの発光回数及び照度が減少するように前記ディミング信号判別部または前記アナログ−ＰＷＭ変換部から出力される前記システムディミング信号を変調して前記コントロールディミング信号を生成するディミング信号変調部で構成されるタイミングコントローラとを含むことを特徴とする請求項１に記載の液晶表示装置の駆動システム。
【請求項１１】
前記ディミング信号判別部は、
サンプリングクロックを供給するサンプリングクロック生成部と；
前記サンプリングクロックによって前記システムディミング信号の電圧レベルをスキャンするスキャン部と；
前記スキャン部のスキャン結果によってアナログＤＣ電圧信号及びＰＷＭ信号の中一つを前記システムディミング信号の形式に決定する判断部と
を含むことを特徴とする請求項１０に記載の液晶表示装置の駆動システム。
【請求項１２】
前記判断部は、前記スキャン部によりスキャンされた前記システムディミング信号の前記電圧レベル中で予め設定された最小電圧レベルが探知されない場合には、前記システムディミング信号の形式を前記アナログＤＣ電圧信号に決定し、前記最小電圧レベルが探知される場合には、前記システムディミング信号の形式を前記ＰＷＭ信号に決定することを特徴とする請求項１１に記載の液晶表示装置の駆動システム。
【請求項１３】
前記コントロール部は、
前記映像データの階調を変換して階調変換された前記映像データに対応する階調変換状態信号を出力するデータ変換部と、前記階調変換状態信号によって前記バックライトユニットの発光回数及び照度が減少するように前記システムディミング信号を変調して前記コントロールディミング信号を生成するディミング信号変調部を含み、前記システムディミング信号が入力されるＤＣ入力端子及びＰＷＭ入力端子と、前記コントロールディミング信号が出力されるＤＣ出力端子及びＰＷＭ出力端子を有するタイミングコントローラと；
前記タイミングコントローラの前記ＤＣ入力端子及び前記ＰＷＭ入力端子のうち前記システムディミング信号の形式によって選択された一つに前記システムディミング信号を入力する第１ＭＵＸと；
前記タイミングコントローラの前記ＤＣ出力端子及び前記ＰＷＭ出力端子のうち前記コントロールディミング信号の形式によって選択された一つに前記コントロールディミング信号を入力する第２ＭＵＸと；
前記システムディミング信号の形式に対応する選択信号を生成する選択信号生成部と
を含むことを特徴とする請求項１に記載の液晶表示装置の駆動システム。
【請求項１４】
前記インバータ部は、
前記選択信号と前記コントロールディミング信号の入力を受ける選択部と；
前記コントロールディミング信号のアナログＤＣ電圧信号形式を変換されたＰＷＭ信号形式に変換して出力するアナログ−ＰＷＭ変換部と
を含み、前記選択部は、前記選択信号によって前記コントロールディミング信号を前記アナログ−ＰＷＭ変換部に伝達することを特徴とする請求項１３に記載の液晶表示装置の駆動システム。
【請求項１５】
前記コントロール部と前記システム部を連結する第１ケーブルと；
前記システム部と前記インバータ部を連結する第２ケーブルと；
前記インバータ部と前記コントロール部を連結する第３ケーブルと
をさらに含むことを特徴とする請求項１に記載の液晶表示装置の駆動システム。
【請求項１６】
前記コントロール部は、前記第１ケーブルに連結される第１コネクタと、前記第３ケーブルに連結される第６コネクタを含み、
前記システム部は、前記第１ケーブルに連結される第２コネクタと、前記第２ケーブルに連結される第３コネクタを含み、
前記インバータ部は、前記第２ケーブルに連結される第４コネクタと、前記第３ケーブルに連結される第５コネクタを含むことを特徴とする請求項１５に記載の液晶表示装置の駆動システム。
【請求項１７】
前記システム部は前記液晶表示装置の動作モードを決定する高級モードイネーブル信号を生成して、前記高級モードイネーブル信号は前記第１ケーブルを介して前記コントロール部に伝達されることを特徴とする請求項１５に記載の液晶表示装置の駆動システム。
【請求項１８】
前記システム部は前記液晶表示装置の動作モードを決定する高級モードイネーブル信号を生成し、前記高級モードイネーブル信号は、前記第２ケーブル、前記インバータ部及び前記第３ケーブルを介して前記コントロール部に伝達されることを特徴とする請求項１５に記載の液晶表示装置の駆動システム。
【請求項１９】
前記第３ケーブルは、前記システムディミング信号を前記インバータ部から前記コントロール部に伝達し、前記コントロールディミング信号を前記コントロール部から前記インバータ部に伝達することを特徴とする請求項１５に記載の液晶表示装置の駆動システム。
【請求項２０】
前記システム部は、前記映像データを前記コントロール部に供給するＴＶシステム及びグラフィックカードの中の一つを含むことを特徴とする請求項１に記載の液晶表示装置の駆動システム。
【請求項２１】
映像を表示する液晶パネルと；
前記液晶パネルに光を供給するバックライトユニットと；
前記液晶パネルに表示される映像データを供給し、システムディミング信号を生成するシステム部と；
前記システムディミング信号の入力を受けてそのまま出力し、バックライトユニットの照度を制御するインバータ部と；
前記液晶パネルの映像表示を制御し、前記インバータ部から前記システムディミング信号の入力を受けて、前記液晶パネルが一般モードで動作して前記映像データの階調を変換しない場合、前記システムディミング信号をそのままコントロールディミング信号として生成し、前記液晶パネルが高級モードで動作して前記映像データの階調を変換する場合、前記バックライトユニットの発光回数及び照度が減少するように前記システムディミング信号を変調して前記コントロールディミング信号を生成し、前記インバータ部に前記コントロールディミング信号を出力するコントロール部と
を含み、前記インバータ部は、前記コントロール部から入力されるコントロールディミング信号を利用して前記バックライトユニットの照度を制御することを特徴とする液晶表示装置。
【請求項２２】
前記コントロール部は、一般モードまたは高級モードを選択するための高級モードイネーブル信号の入力を受けて前記インバータ部に前記コントロールディミング信号を出力することを特徴とする請求項２１に記載の液晶表示装置。
【請求項２３】
液晶パネルに表示される映像データを供給するためのシステム部が、システムディミング信号を生成し、バックライトユニットの照度を制御するためのインバータ部に前記システムディミング信号を出力する段階と；
前記インバータ部が、前記システムディミング信号の入力を受けてそのまま出力し、前記液晶パネルの映像表示を制御するためのコントロール部に前記システムディミング信号を出力する段階と；
前記コントロール部が、前記インバータ部から前記システムディミング信号の入力を受けて、前記液晶パネルが一般モードで動作して前記映像データの階調を変換しない場合、前記システムディミング信号をそのままコントロールディミング信号として生成し、前記液晶パネルが高級モードで動作して前記映像データの階調を変換する場合、前記バックライトユニットの発光回数及び照度が減少するように前記システムディミング信号を変調して前記コントロールディミング信号を生成し、前記インバータ部に前記コントロールディミング信号を出力する段階と
を含み、前記インバータ部は、前記コントロール部から入力されるコントロールディミング信号を利用して前記バックライトユニットの照度を制御することを特徴とする液晶表示装置の駆動方法。
【請求項２４】
一般モードまたは高級モードを選択するための高級モードイネーブル信号の入力を受けて前記インバータ部に前記コントロールディミング信号を出力する段階をさらに含むことを特徴とする請求項２３に記載の液晶表示装置の駆動方法。
【発明の詳細な説明】
【技術分野】
【０００１】
本発明は、バックライト駆動システムに関するものであって、特に液晶表示装置でバックライト消費電力の低減及び表示画面の視認性向上のための応用駆動時にこれに適用できる新たなバックライト制御信号の生成のための液晶表示装置のバックライト駆動システムに関する。
【背景技術】
【０００２】
液晶表示装置は小型及び薄形化と低電力消耗の長所を有し、ノートブックコンピューター、事務自動化機器、オーディオ／ビデオ機器等に利用されている。特に、スイッチ素子で薄膜トランジスタが利用されるアクティブマトリックスタイプの液晶表示装置は動的なイメージを表示するのに好適である。
【０００３】
このような液晶表示装置は、図１のブロック構成図を参照すると、大別して、液晶パネル１０と、バックライトユニット２０と、コントロール部３０と、システム部４０と、インバータ部５０で構成されることができる。
【０００４】
簡単に説明すると、前記液晶パネル１０は、複数の液晶画素が形成されて映像データの入力を介して映像が表示され、前記バックライトユニット２０は、前記液晶パネル１０側に光を供給するための照明装置を含む。
【０００５】
前記コントロール部３０は、タイミングコントローラ等を構成して前記液晶パネル１０への映像データ供給を介した映像表示制御を遂行し、前記システム部４０は、ＴＶシステムまたはグラフィックカード等のような外部インターフェース回路で前記コントロール部３０に映像データ及び複数の駆動信号等を提供する。
【０００６】
前記インバータ部５０は、前記バックライトユニット２０の発光制御を行って、前記コントロール部３０または前記システム部４０からバックライト制御用ディミング信号（Dimming Signal）の入力を受ける。
【０００７】
このような基本構成を有する液晶表示装置に対して、最近になって前記バックライトユニット２０における消費電力を低減させながらも視認性を確保できる駆動方法が提案されている。
【０００８】
前記駆動方法の目的は、低階調、特にブラックにおけるバックライトの輝度を最小に制御することによってコントラストを高めることにあり、同時にバックライトにおける消費電力が低減される長所がある。このような駆動方法のひとつには、低階調の映像データを変換して階調を上昇させてこれと共にバックライトの平均発光輝度を低める方法がある。
【０００９】
図２は、従来技術による液晶表示装置におけるコントラストの改善駆動方法を説明するための液晶表示装置の駆動システムを示す構成図で、図１の構成中、コントロール部３０、システム部４０、インバータ部５０だけを示して説明するものである。
【００１０】
まず、前記システム部４０から前記インバータ５０側にバックライト制御用ディミング信号（ＶＢＲ）を提供する方式としては、アナログ電圧のみ提供されるＶＢＲ−Ａ方式と、ＰＷＭ信号及びアナログ電圧の中選択して提供可能なＶＢＲ−Ｂ方式がある。
【００１１】
このうち、システム部４０から提供される第１ＶＢＲ−Ｂ方式ディミング信号（ＶＢＲ−Ｂ１）は、前記システム部４０の第２システムコネクタ４２と前記コントロール部３０の第１コントロールコネクタ３４を連結する第１信号ケーブル（ＣＢ１）を介して前記コントロール部３０に伝達され、前記タイミングコントローラ３２は、前記システム部４０からＤＣＲ駆動イネーブル（ＤＣＲ−ＥＮ）信号が入力されると、前記ＤＣＲ駆動のために変換された映像データに合せてタイミングコントローラディミング信号（ＤＡＣＯＵＴ）を別途に生成して出力するようになる。
【００１２】
ここで、第１マルチプレクサ（以下、マルチプレクサをＭＵＸと表記する）Ｍ１は、前記システム部４０から提供される第１ＶＢＲ−Ｂ方式ディミング信号（ＶＢＲ−Ｂ１）と前記タイミングコントローラ３２で別途に生成されたタイミングコントローラディミング信号（ＤＡＣＯＵＴ）のうち一つを選択して第２ＶＢＲ−Ｂ方式ディミング信号（ＶＢＲ−Ｂ２）として前記第２信号ケーブル（ＣＢ２）を介して再び前記システム部４０に伝送する。
【００１３】
そして、前記システム部４０は、第２ＭＵＸ Ｍ２を介して前記第２ＶＢＲ−Ｂ方式ディミング信号（ＶＢＲ−Ｂ２）及び前記第１ＶＢＲ−Ｂ方式ディミング信号（ＶＢＲ−Ｂ１）の中一つをＶＢＲ−Ｂ方式ディミング信号（ＶＢＲ−Ｂ）として選択することができ、このように選択されたＶＢＲ−Ｂ方式ディミング信号（ＶＢＲ−Ｂ）とＶＢＲ−Ａ方式ディミング信号（ＶＢＲ−Ａ）は、前記システム部４０の第１システムコネクタ４４と前記インバータ部５０の第１コネクタ５２を連結する第２信号ケーブル（ＣＢ２）を介して前記インバータ部５０に伝達されバックライトディミング制御に利用される。
【００１４】
このような動作を要約すれば、コントラストの改善駆動のために、前記コントロール部３０は、自ら生成されたタイミングコントローラディミング信号（ＤＡＣＯＵＴ）と前記システム部４０からの入力を受けた第１ＶＢＲ−Ｂ方式ディミング信号（ＶＢＲ−Ｂ１）の中一つを選択して再び前記システム部４０に第２ＶＢＲ−Ｂ方式ディミング信号（ＶＢＲ−Ｂ２）として伝送し、ここで、前記システム部４０は、前記コントロール部３０から伝送された第２ＶＢＲ−Ｂ方式ディミング信号（ＶＢＲ−Ｂ２）及び自ら生成された第１ＶＢＲ−Ｂ方式ディミング信号（ＶＢＲ−Ｂ１）の中一つを選択してＶＢＲ−Ｂ方式ディミング信号（ＶＢＲ−Ｂ）として前記インバータ部５０に提供する方法を採択している。もちろんＶＢＲ−Ａ方式ディミング信号（ＶＢＲ−Ａ）も前記第２信号ケーブル（ＣＢ２）を介して前記インバータ部５０側に提供される。
【００１５】
ところが、前記説明したようなコントラストの改善駆動のためのバックライト制御用ディミング信号を提供する方式は、液晶表示装置製造社別に相異なった回路部設計によって前記システム部４０の汎用が難しい短所がある。
【００１６】
例えば、多くの液晶表示装置製造社別に前記コントロール部３０と前記システム回路部４０を電気回路的に連結する第１信号ケーブル（ＣＢ１）の連結のための前記第１コントロールコネクタ及び第２システムコネクタ３４、４２のピン−マップ（pin-map）が相異なり前記したコントラストの改善駆動のための信号伝送の実現が容易でない問題等の短所がある。すなわち、コントラストの改善及び低消費電力駆動のためにはＤＣＲ駆動イネーブル（ＤＣＲ−ＥＮ）信号、第１及び第２ＶＢＲ−Ｂ方式ディミング信号（ＶＢＲ−Ｂ１、ＶＢＲ−Ｂ２）の伝送のためにコントロール部３０とシステム回路部４０間に最小３個のピン追加が必要であるが、一般的な液晶表示装置用システム回路部にはそれ程のピン余裕がないので、システム回路部のピン−マップを新しく設計、製造しなければならない短所がある。
【発明の開示】
【発明が解決しようとする課題】
【００１７】
本発明は前記のような問題点を解決するために案出したものであって、液晶表示装置の製造社別にシステム部（図２の４０）の汎用が可能なように改善した液晶表示装置の駆動システム、液晶表示装置及びその駆動方法を提供することにある。
【課題を解決するための手段】
【００１８】
このために、本発明では、同じピン−マップ適用が難しい前記第１ケーブル（図２のＣＢ１）を汎用化しかつ最小化し、前記コントロール部３０とインバータ部５０間のコネクタ３６、５４を連結する第３信号ケーブル（図２のＣＢ３）を利用することによって前記システム部４０の汎用を可能なようにする。
【００１９】
前記のような目的を達成するために、本発明は、液晶パネルに表示される映像データを供給し、システムディミング信号を生成するシステム部と；前記システムディミング信号の入力を受けてそのまま出力し、バックライトユニットの照度を制御するインバータ部と；前記液晶パネルの映像表示を制御し、前記インバータ部から前記システムディミング信号の入力を受けて、前記液晶パネルが一般モードで動作して前記映像データの階調を変換しない場合、前記システムディミング信号をそのままコントロールディミング信号として生成し、前記液晶パネルが高級モードで動作して前記映像データの階調を変換する場合、前記バックライトユニットの発光回数及び照度が減少するように前記システムディミング信号を変調して前記コントロールディミング信号を生成し、前記インバータ部に前記コントロールディミング信号を出力するコントロール部とを含み、前記インバータ部は、前記コントロール部から入力されるコントロールディミング信号を利用して前記バックライトユニットの照度を制御する液晶表示装置の駆動システムを提供する。
【００２０】
また、本発明は、映像を表示する液晶パネルと；前記液晶パネルに光を供給するバックライトユニットと；前記液晶パネルに表示される映像データを供給し、システムディミング信号を生成するシステム部と；前記システムディミング信号の入力を受けてそのまま出力し、バックライトユニットの照度を制御するインバータ部と；前記液晶パネルの映像表示を制御し、前記インバータ部から前記システムディミング信号の入力を受けて、前記液晶パネルが一般モードで動作して前記映像データの階調を変換しない場合、前記システムディミング信号をそのままコントロールディミング信号として生成し、前記液晶パネルが高級モードで動作して前記映像データの階調を変換する場合、前記バックライトユニットの発光回数及び照度が減少するように前記システムディミング信号を変調して前記コントロールディミング信号を生成し、前記インバータ部に前記コントロールディミング信号を出力するコントロール部とを含み、前記インバータ部は、前記コントロール部から入力されるコントロールディミング信号を利用して前記バックライトユニットの照度を制御する液晶表示装置を提供する。
【００２１】
さらに、本発明は、液晶パネルに表示される映像データを供給するためのシステム部が、システムディミング信号を生成し、バックライトユニットの照度を制御するためのインバータ部に前記システムディミング信号を出力する段階と；前記インバータ部が、前記システムディミング信号の入力を受けてそのまま出力し、前記液晶パネルの映像表示を制御するためのコントロール部に前記システムディミング信号を出力する段階と；前記コントロール部が、前記インバータ部から前記システムディミング信号の入力を受けて、前記液晶パネルが一般モードで動作して前記映像データの階調を変換する場合、前記システムディミング信号をそのままコントロールディミング信号として生成し、前記液晶パネルが高級モードで動作して前記映像データの階調を変換する場合、前記バックライトユニットの発光回数及び照度が減少するように前記システムディミング信号を変調して前記コントロールディミング信号を生成し、前記インバータ部に前記コントロールディミング信号を出力する段階とを含み、前記インバータ部は、前記コントロール部から入力されるコントロールディミング信号を利用して前記バックライトユニットの照度を制御する液晶表示装置の駆動方法を提供する。
【発明の効果】
【００２２】
前記した特徴を有する本発明によると、液晶表示装置を多様なシステム部に用いながらもコントラストの改善及び低消費電力駆動を介して視認性向上と消費電力低減を行なうことができる。
【００２３】
特に、システムディミング信号をシステム部からコントロール部に直接伝達する代わりインバータ部を介して伝達（bypass）することによって、システム部または及びコントロール部の連結のための別途の設計変更なくコントラストの改善及び低消費電力駆動のためのバックライトディミング制御を遂行して、全ての液晶表示装置に簡便に適用できる長所がある。
【発明を実施するための最良の形態】
【００２４】
以下添付された図面を参照して本発明に対して詳細に説明する。
【００２５】
図３は、本発明の第１の実施の形態による液晶表示装置のバックライト駆動システムを説明するための構成図で、図３に示すシステムは、コントロール部１３０と、システム部１４０と、インバータ部１５０で構成される。図３に示さなかったが、液晶表示装置は、バックライト駆動システム以外に映像を表示する液晶パネル及び液晶パネルに光を供給するバックライトユニットをさらに含み、バックライト駆動システムのインバータ部１５０は、バックライトユニットと連結してバックライトの発光を制御し、バックライト駆動システムのコントロール部１４０は、液晶表示装置の液晶パネルに連結されて映像を表示する。
【００２６】
コントロール部１３０とシステム部１４０は、コントロール部１３０の第１コネクタ（ＣＮ１）とシステム部１４０の第２コネクタ（ＣＮ２）を連結する第１ケーブル（ＣＢ１）を介して連結され、システム部１４０とインバータ部１５０は、システム部１４０の第３コネクタ（ＣＮ３）とインバータ部１５０の第４コネクタ（ＣＮ４）を連結する第２ケーブル（ＣＢ２）を介して連結され、インバータ部１５０とコントロール部１３０は、インバータ部１５０の第５コネクタ（ＣＮ５）とコントロール部１３０の第６コネクタ（ＣＮ６）を連結する第３ケーブル（ＣＢ３）を介して連結される。この時、第１ないし第３ケーブル（ＣＢ３）は少なくとも一つの伝送線で構成できる。
【００２７】
使用者は、液晶表示装置を一般モード（normal mode）またはコントラスト及び消費電力の改善のような高級モード（advance mode）で駆動できるが、このために、システム部１４０は、高級モードイネーブル信号（ＡＭ−ＥＮ）を生成して第１及び第２コネクタ（ＣＮ１、ＣＮ２）と第１信号ケーブル（ＣＢ１）を介してコントロール部１３０に直接伝送する。例えば、高級モードイネーブル信号（ＡＭ−ＥＮ）が“０”（low, disable）であればコントラストの改善駆動がオフされ、コントロール部１３０は、映像データ階調変換等の動作なしにバックライト発光制御のための一般タイミングコントローラディミング信号を生成し、液晶表示装置は一般モードで動作する。他方、高級モードイネーブル信号（ＡＭ−ＥＮ）が“１”（high, enable）であれば、コントラスト及び消費電力の改善駆動がオン）され、コントロール部１３０は、映像データ階調変換等の動作を行って前記階調変換に基づいてバックライト発光制御のための高級タイミングコントローラディミング信号を生成し、液晶表示装置は、コントラスト及び消費電力を改善した高級モードで動作する。
【００２８】
また、前記システム部１４０は、前記コントロール部１３０に映像データとメインクロック、水平／垂直同期信号等を提供するＴＶシステムまたはグラフィックカードのような外部インターフェース回路を含むが、特に液晶表示装置に構成されたバックライトの発光制御のために提供されるバックライト制御用ディミング信号の方式として、アナログ電圧のみ提供するＶＢＲ−Ａ方式と、ＰＷＭ信号及びアナログ電圧の中選択された一つを提供するＶＢＲ−Ｂ方式がある。
【００２９】
このうち、システム部１４０が提供する第１ＶＢＲ−Ｂ方式ディミング信号（ＶＲＢ−Ｂ１）は、インバータ部１５０を介して（bypass）コントロール部１３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）は、システム部１４０とインバータ部１５０を連結する第３及び第４コネクタ（ＣＮ３、ＣＮ４）と第２信号ケーブル（ＣＢ２）を介してインバータ部１５０に伝送され、そのうち、第１ＶＢＲ−Ｂ方式ディミング信号（ＶＲＢ−Ｂ１）は、インバータ部１５０とコントロール部１３０を連結する第５及び第６コネクタ（ＣＮ５、ＣＮ６）と第３信号ケーブル（ＣＢ３）を介してコントロール部１３０に伝送される。
【００３０】
コントロール部１３０は、タイミングコントローラ１３２と第１ＭＵＸ１３４を含む。図３に示さなかったが、タイミングコントローラ１３２は、システム部１４０から伝送された映像データ、メインクロック、水平同期信号及び垂直同期信号を利用してデータ信号を生成して液晶パネルに供給する。また、タイミングコントローラ１３２は、データ信号に対応するアナログ電圧信号であるタイミングコントローラディミング信号（ＤＡＣＯＵＴ）を生成するが、例えば、タイミングコントローラディミング信号（ＤＡＣＯＵＴ）は、一般タイミングコントローラディミング信号と高級タイミングコントローラディミング信号の中一つであることができる。第１ＭＵＸ１３４は、システム回路部１４０の高級モードイネーブル信号（ＡＭ−ＥＮ）にしたがってインバータ部１５０を介して伝送された第１ＶＢＲ−Ｂ方式ディミング信号（ＶＢＲ−Ｂ１）と前記タイミングコントローラ１３２で別途に生成されたタイミングコントローラディミング信号（ＤＡＣＯＵＴ）のうち一つを選択して前記第３信号ケーブル（ＣＢ３）を介してコントロールディミング信号、すなわち、第２ＶＢＲ−Ｂ方式ディミング信号（ＶＢＲ−Ｂ２）として再びインバータ部１５０に伝送する。図３において、第１ＭＵＸ１３４は、タイミングコントローラ１３２と独立して形成されるものとして示されているが、他の実施の形態ではタイミングコントローラに集積して形成することもできる。
【００３１】
インバータ部１５０は、コントロール部１３０から伝送された第２ＶＢＲ−Ｂ方式ディミング信号（ＶＢＲ−Ｂ２）とシステム部１４０から伝送されたＶＢＲ−Ａ方式ディミング信号（ＶＢＲ−Ａ）を利用してバックライトランプの発光回数（発光周期）及び照度を制御することによってバックライトをディミング制御する。
【００３２】
一方、他の実施の形態では、インバータ部１５０は、第２ＭＵＸを含むことができるが、第２ＭＵＸは、コントロール部１３０から伝送された前記第２ＶＢＲ−Ｂ方式ディミング信号（ＶＢＲ−Ｂ２）とシステム部１４０から伝送された前記第１ＶＢＲ−Ｂ方式ディミング信号（ＶＢＲ−Ｂ１）の中一つを選択する役割をし、このように選択されたＶＢＲ−Ｂ方式ディミング信号とシステム部１４０から伝送されたＶＢＲ−Ａ方式ディミング信号は、前記インバータ部１５０によってバックライトディミング制御に利用されることができる。
【００３３】
このような第１の実施の形態による駆動システムの動作を以下で要約して説明する。
【００３４】
使用者の選択によって高級モードイネーブル信号（ＡＭ−ＥＮ）が“０”の値を有する場合、駆動システムは一般モードで駆動される。この場合、システム部１４０は、“０”の値を有する高級モードイネーブル信号（ＡＭ−ＥＮ）をコントロール部１３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部１５０に伝送し、インバータ部１５０は、第１ＶＢＲ−Ｂ方式ディミング信号（ＶＢＲ−Ｂ１）をコントロール部１３０に伝達する。
【００３５】
“０”の値を有する高級モードイネーブル信号（ＡＭ−ＥＮ）は、タイミングコントローラ１３２及び第１ＭＵＸ１３４に入力され、第１ＶＢＲ−Ｂ方式ディミング信号（ＶＢＲ−Ｂ１）は、第１ＭＵＸ１３４に入力される。タイミングコントローラ１３２は、コントラストの改善のための映像データの階調変換なく電力減少のための一般モード用タイミングコントローラディミング信号（ＤＡＣＯＵＴ）を生成する。
【００３６】
第１ＭＵＸ１３４は、“０”の値を有する高級モードイネーブル信号（ＡＭ−ＥＮ）にしたがってタイミングコントローラディミング信号（ＤＡＣＯＵＴ）及び第１ＶＢＲ−Ｂ方式ディミング信号（ＶＢＲ−Ｂ１）の中一つを選択してコントロールディミング信号、すなわち、第２ＶＢＲ−Ｂ方式ディミング信号（ＶＢＲ−Ｂ２）としてインバータ部１５０に伝送する。例えば、“０”の値を有する高級モードイネーブル信号（ＡＭ−ＥＮ）が入力される場合、第１ＭＵＸ１３４によって第１ＶＢＲ−Ｂ方式ディミング信号（ＶＢＲ−Ｂ１）が選択されて第２ＶＢＲ−Ｂ方式ディミング信号（ＶＢＲ−Ｂ２）としてインバータ部１５０に提供されることができる。
【００３７】
インバータ部１５０は、ＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。これにより、前記駆動システムを含む液晶表示装置は、映像データの階調変換やコントラストの改善なくバックライトユニットの発光回数を減少させることによって消費電力が減少された一般モードで駆動される。
【００３８】
一方、使用者の選択によって高級モードイネーブル信号（ＡＭ−ＥＮ）が“１”の値を有する場合、駆動システムは高級モードで駆動される。この場合、システム部１４０は、“１”の値を有する高級モードイネーブル信号（ＡＭ−ＥＮ）をコントロール部１３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部１５０に伝送し、インバータ部１５０は、第１ＶＢＲ−Ｂ方式ディミング信号（ＶＢＲ−Ｂ１）をコントロール部１３０に伝達する。
【００３９】
“１”の値を有する高級モードイネーブル信号（ＡＭ−ＥＮ）は、タイミングコントローラ１３２及び第１ＭＵＸ１３４に入力され、第１ＶＢＲ−Ｂ方式ディミング信号（ＶＢＲ−Ｂ１）は、第１ＭＵＸ１３４に入力される。タイミングコントローラ１３２は、コントラストの改善のための映像データの階調変換を行なってこれに基づいて電力減少のための高級モード用タイミングコントローラディミング信号（ＤＡＣＯＵＴ）を生成する。
【００４０】
第１ＭＵＸ１３４は、“１”の値を有する高級モードイネーブル信号（ＡＭ−ＥＮ）にしたがってタイミングコントローラディミング信号（ＤＡＣＯＵＴ）及び第１ＶＢＲ−Ｂ方式ディミング信号（ＶＢＲ−Ｂ１）の中一つを選択してコントロールディミング信号、すなわち第２ＶＢＲ−Ｂ方式ディミング信号（ＶＢＲ−Ｂ２）としてインバータ部１５０に伝送する。例えば、“１”の値を有する高級モードイネーブル信号（ＡＭ−ＥＮ）が入力される場合、第１ＭＵＸ１３４によってタイミングコントローラディミング信号（ＤＡＣＯＵＴ）が選択され第２ＶＢＲ−Ｂ方式ディミング信号（ＶＢＲ−Ｂ２）としてインバータ部１５０に提供されることができる。
【００４１】
インバータ部１５０は、ＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。第２ＶＢＲ−Ｂ方式ディミング信号（ＶＢＲ−Ｂ２）は、第１ＶＢＲ−Ｂ方式ディミング信号（ＶＢＲ−Ｂ１）に比べて発光回数と照度がさらに減少されるようにバックライトユニットを制御するので、前記駆動システムを含む液晶表示装置は、映像データの階調変換を行なってコントラスト及び消費電力が改善された高級モードで駆動される。
【００４２】
前記のような構成の特徴は、製造元にかかわりなくシステム回路部１４０の使用のために提案されたのである。例えば、従来の液晶表示装置の場合、コントラスト及び消費電力が改善された高級モード駆動のためには、前記システム部１４０と前記コントロール部１３０間高級モードイネーブル信号（ＡＭ−ＥＮ）、第１及び第２ＶＢＲ−Ｂ方式ディミング信号（ＶＢＲ−Ｂ１、ＶＢＲ−Ｂ２）のような別途の信号伝送が要求されるが、コントロール部１３０及びシステム部１４０のコネクタのピン−マップが互換されない場合、システム部の製造社別に相異なるようにコントロール部を製作しなければならないが、本発明のバックライト駆動システムは、前記コントロール部１３０の第１コネクタ（ＣＮ１）と前記システム部１４０の第２コネクタ（ＣＮ２）に、液晶表示装置の駆動モード、すなわち一般モードまたはコントラスト及び消費電力の改善のような高級モードの選択のための高級モードイネーブル信号（ＡＭ−ＥＮ）伝送用ピン１個だけがさらに必要であって、これはダミーピンを利用することが可能であるので、一般モードだけで駆動される液晶表示装置用システム部にも本発明の第１の実施の形態によるインバータ部１５０及びコントロール部１３０を適用できる。すなわち、新たなピン−マップの設計及び製作がなくてもＤＣＲ（dynamic constrast ratio）またはＯＰＣ（optimal power control）のようなコントラスト及び消費電力が改善された高級モード駆動の実現が可能であるので、本発明のインバータ部１５０及びコントロール部１３０を全てのシステム製造社の液晶表示装置のセットに汎用できる利点がある。
【００４３】
一方、第１の実施の形態では、高級モードイネーブル信号（ＡＭ−ＥＮ）が第１及び第２コネクタ（ＣＮ１、ＣＮ２）と第１ケーブル（ＣＢ１）を介してシステム部１４０からコントロール部１３０に伝達されるが、他の実施の形態では、高級モードイネーブル信号（ＡＭ−ＥＮ）が第３及び第４コネクタ（ＣＮ３、ＣＮ４）と第２ケーブル（ＣＢ２）を介してシステム部１４０からインバータ部１５０に伝達され、再び第５及び第６コネクタ（ＣＮ５、ＣＮ６）と第３ケーブル（ＣＢ３）を介してインバータ部１５０からコントロール部１３０に伝達されることができる。
【００４４】
この場合、高級モードイネーブル信号（ＡＭ−ＥＮ）がインバータ部１５０を経て（bypass）コントロール部１３０に伝達されるので、コントロール部１３０の第１コネクタ（ＣＮ１）と前記システム部１４０の第２コネクタ（ＣＮ２）には、液晶表示装置の駆動モード、すなわち一般モードまたはコントラスト及び消費電力の改善のような高級モードの選択のための高級モードイネーブル信号（ＡＭ−ＥＮ）の伝送のための追加的なダミーピンも必要でない。したがって、一般モードだけで駆動される液晶表示装置用システム部にも構造の変更なしにコントラスト及び消費電力の改善のような高級モード駆動が可能な液晶表示装置用インバータ部及びコントロール部をさらに安定的に適用できる。すなわち、他の実施の形態によるインバータ部及びコントロール部は、新たなピン−マップの設計及び製作がなくてもＤＣＲまたはＯＰＣのようなコントラスト及び消費電力が改善された高級モード駆動が可能であるので、全てのシステム製造社別液晶表示装置のセットに汎用できる利点がある。
【００４５】
図４は、本発明の第２の実施の形態による液晶表示装置のバックライト駆動システムを説明するための構成図であり、図５は、図４の駆動システムのタイミングコントローラを示した図面である。
【００４６】
図４に示したように、液晶表示装置のバックライト駆動システムは、コントロール部２３０とシステム部２４０とインバータ部２５０で構成される。図４に示さなかったが、液晶表示装置は、バックライト駆動システム以外に映像を表示する液晶パネル及び液晶パネルに光を供給するバックライトユニットをさらに含み、バックライト駆動システムのインバータ部２５０は、バックライトユニットと連結してバックライトの発光を制御し、バックライト駆動システムのコントロール部２４０は、液晶表示装置の液晶パネルに連結されて映像を表示する。
【００４７】
コントロール部２３０とシステム部２４０は、コントロール部２３０の第１コネクタ（ＣＮ１）とシステム部２４０の第２コネクタ（ＣＮ２）を連結する第１ケーブル（ＣＢ１）を介して連結され、システム部２４０とインバータ部２５０は、システム部２４０の第３コネクタ（ＣＮ３）とインバータ部２５０の第４コネクタ（ＣＮ４）を連結する第２ケーブル（ＣＢ２）を介して連結され、インバータ部２５０とコントロール部２３０は、インバータ部２５０の第５コネクタ（ＣＮ５）とコントロール部２３０の第６コネクタ（ＣＮ６）を連結する第３ケーブル（ＣＢ３）を介して連結される。この時、第１ないし第３ケーブル（ＣＢ３）は少なくとも一つの伝送線で構成できる。
【００４８】
使用者は、液晶表示装置を一般モードまたはコントラスト及び消費電力の改善のような高級モードで駆動できるが、このために、システム部２４０は、高級モードイネーブル信号（ＡＭ−ＥＮ）を生成して第１及び第２コネクタ（ＣＮ１、ＣＮ２）と第１信号ケーブル（ＣＢ１）を介してコントロール部２３０に直接伝送する。例えば、高級モードイネーブル信号（ＡＭ−ＥＮ）が“０”であれば、コントラストの改善駆動がオフされ、コントロール部２３０は、映像データ階調変換等の動作なしにバックライト発光制御のための一般タイミングコントローラディミング信号を生成し、液晶表示装置は、一般モードで動作する。高級モードイネーブル信号（ＡＭ−ＥＮ）が“１”であれば、コントラスト及び消費電力の改善駆動がオンされ、コントロール部２３０は、映像データ階調変換等の動作を行って前記階調変換に基づいてバックライト発光制御のための高級タイミングコントローラディミング信号を生成し、液晶表示装置は、コントラスト及び消費電力が改善された高級モードで動作する。前記一般タイミングコントローラディミング信号及び高級タイミングコントローラディミング信号は、第２ＭＵＸ２３６を介して第２ＶＢＲ−Ｂ方式ディミング信号（ＶＢＲ−Ｂ２）としてインバータ部２５０に伝達される。
【００４９】
前記システム部２４０は、前記コントロール部２３０に映像データとメインクロック、水平／垂直同期信号等を提供するＴＶシステムまたはグラフィックカードで、特に液晶表示装置に構成されたバックライトの発光制御のために提供されるバックライト制御用ディミング信号の方式でアナログ電圧のみ提供するＶＢＲ−Ａ方式と、ＰＷＭ信号及びアナログ電圧の中選択された一つを提供するＶＢＲ−Ｂ方式がある。
【００５０】
このうち、システム部２４０が提供する第１ＶＢＲ−Ｂ方式ディミング信号（ＶＲＢ−Ｂ１）は、インバータ部２５０を介して（bypass）コントロール部２３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）は、システム部２４０とインバータ部２５０を連結する第３及び第４コネクタ（ＣＮ３、ＣＮ４）と第２信号ケーブル（ＣＢ２）を介してインバータ部２５０に伝送され、そのうち第１ＶＢＲ−Ｂ方式ディミング信号（ＶＲＢ−Ｂ１）は、インバータ部２５０とコントロール部２３０を連結する第５及び第６コネクタ（ＣＮ５、ＣＮ６）と第３信号ケーブル（ＣＢ３）を介してコントロール部２３０に伝送される。
【００５１】
インバータ部２５０は、バックライトの発光制御のためのインバータ回路を実装し、前記システム部２４０または前記コントロール部２３０から提供されるバックライト制御用ディミング信号によって前記バックライトの発光制御を行う。特に前記インバータ部２５０は、前記システム部２４０から入力される第１ＶＢＲ−Ｂ方式ディミング信号（ＶＢＲ−Ｂ１）を前記コントロール部２３０の第１ＭＵＸ２３４に伝達（bypass）し、前記コントロール部２３０から第２ＶＢＲ−Ｂ方式ディミング信号（ＶＢＲ−Ｂ２）の入力を受けて前記バックライトの発光制御を行う。
【００５２】
コントロール部２３０は、タイミングコントローラ２３２と第１及び第２ＭＵＸ２３４、２３６を含む。タイミングコントローラ２３２は集積回路の形態で構成でき、第１及び第２ＭＵＸ２３４、２３６は抵抗とすることができる。図４では、第１及び第２ＭＵＸ２３４、２３６がタイミングコントローラ２３２と独立的なもので示したが、他の実施の形態では、第１及び第２ＭＵＸ２３４、２３６がタイミングコントローラ２３２に集積されることができる。また、図４に示さなかったが、タイミングコントローラ２３２は、システム部２４０から伝送された映像データ、メインクロック、水平同期信号及び垂直同期信号を利用してデータ信号を生成して液晶パネルに供給する。
【００５３】
そして、図５に示したように、タイミングコントローラ２３２は、データ変換部２３２ａとディミング信号変調部２３２ｂを含むが、第１ＶＢＲ−Ｂ方式ディミング信号（ＶＢＲ−Ｂ１）が第１ＭＵＸ２３４を介してディミング信号変調部２３２ｂに入力され第２ＶＢＲ−Ｂ方式ディミング信号（ＶＢＲ−Ｂ２）が第２ＭＵＸ２３６を介して出力される。すなわち、ディミング信号変調部２３２ｂは、データ変換部２３２ａの階調変換状態信号によって第１ＶＢＲ−Ｂ方式ディミング信号（ＶＢＲ−Ｂ１）を変調して第２ＶＢＲ−Ｂ方式ディミング信号（ＶＢＲ−Ｂ２）を生成する。そして、第２ＶＢＲ−Ｂ方式ディミング信号（ＶＢＲ−Ｂ２）、すなわちコントロールディミング信号は、第３ケーブル（ＣＢ３）を介してインバータ部２５０に伝送される。
【００５４】
この時、コントロール部２３０は、システム部２４０の高級モードイネーブル信号（ＡＭ−ＥＮ）にしたがって別に動作するようになるが、例えば、高級モードイネーブル信号（ＡＭ−ＥＮ）が“０”であれば、データ変換部２３２ａは、映像データの階調を変換しなく階調変換がない映像データに対応する階調変換状態信号を出力する。したがって、映像データに対応するデータ信号がデータストレッチ（data stretching）のような変換なしに液晶パネルに供給され、ディミング信号変調部２３２ｂは、データ変換がないデータ信号に対応する階調変換状態信号によって第１ＶＢＲ−Ｂ方式ディミング信号（ＶＢＲ−Ｂ１）をそのまま第２ＶＢＲ−Ｂ方式ディミング信号（ＶＢＲ−Ｂ２）として出力したり、またはデータ変換がないデータ信号に対応する階調変換状態信号によってデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）として出力する。
【００５５】
また、高級モードイネーブル信号（ＡＭ−ＥＮ）が“１”であれば、データ変換部２３２ａは、映像データの階調を変換して（例えば、データストレッチ）、階調変換された映像データに対応する階調変換状態信号を出力する。したがって、変換された映像データに対応するデータ信号が液晶パネルに供給され、ディミング信号変調部２３２ｂは、階調変換された映像データに対応する階調変換状態信号によって第１ＶＢＲ−Ｂ方式ディミング信号（ＶＢＲ−Ｂ１）を変調及び合成して第２ＶＢＲ−Ｂ方式ディミング信号（ＶＢＲ−Ｂ２）を出力する。この時、第２ＶＢＲ−Ｂ方式ディミング信号（ＶＢＲ−Ｂ２）はデータ信号に同期化される。
【００５６】
一方、第１及び第２ＶＢＲ−Ｂ方式ディミング信号（ＶＢＲ−Ｂ１、ＶＢＲ−Ｂ２）それぞれはＰＷＭ信号及びアナログＤＣ電圧信号のうち一つをその形式で有することができる。第１ＭＵＸ２３４の選択によってＰＷＭ信号形式である第１ＶＢＲ−Ｂ方式ディミング信号（ＶＢＲ−Ｂ１）はタイミングコントローラ２３２のＰＷＭ入力端子（ＰＷＭ−ＩＮ）に入力され、アナログＤＣ電圧信号形式である第１ＶＢＲ−Ｂ方式ディミング信号（ＶＢＲ−Ｂ１）はタイミングコントローラ２３２のＤＣ入力端子（ＤＣ−ＩＮ）に入力される。また、第２ＭＵＸ２３６の選択によってＰＷＭ信号形式である第２ＶＢＲ−Ｂ方式ディミング信号（ＶＢＲ−Ｂ２）はタイミングコントローラ２３２のＰＷＭ出力端子（ＰＷＭ−ＯＵＴ）に出力され、アナログＤＣ電圧信号形式である第２ＶＢＲ−Ｂ方式ディミング信号（ＶＢＲ−Ｂ２）はタイミングコントローラ２３２のＤＣ出力端子（ＤＣ−ＯＵＴ）に出力される。したがって、第１ＭＵＸ２３４は第１ＶＢＲ−Ｂ方式ディミング信号（ＶＢＲ−Ｂ１）用タイミングコントローラ２３２の入力端子を決定して、第２ＭＵＸ２３６は第２ＶＢＲ−Ｂ方式ディミング信号（ＶＢＲ−Ｂ２）用タイミングコントローラ２３２の出力端子を決定する。
【００５７】
結論的に、インバータ部２５０は、システム部２４０のＶＢＲ−Ａ方式ディミング信号（ＶＢＲ−Ａ）とコントロール部２３０の第２ＶＢＲ−Ｂ方式ディミング信号（ＶＢＲ−Ｂ２）を利用してバックライトユニットの発光回数（発光周期）及び照度を制御することによって、コントラスト及び消費電力を改善する。
【００５８】
このような第２の実施の形態による駆動システムの動作を以下に要約して説明する。
【００５９】
使用者の選択によって高級モードイネーブル信号（ＡＭ−ＥＮ）が“０”の値を有する場合、駆動システムは一般モードで駆動される。この場合、システム部２４０は、“０”の値を有する高級モードイネーブル信号（ＡＭ−ＥＮ）をコントロール部２３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部２５０に伝送し、インバータ部２５０は、第１ＶＢＲ−Ｂ方式ディミング信号（ＶＢＲ−Ｂ１）を第１ＭＵＸ２３４を介してコントロール部２３０のタイミングコントローラ２３２に伝達する。
【００６０】
タイミングコントローラ２３２は、コントラストの改善のための映像データの階調変換（例えば、データストレッチ）なく第１ＶＢＲ−Ｂ方式ディミング信号（ＶＢＲ−Ｂ１）を第２ＶＢＲ−Ｂ方式ディミング信号（ＶＢＲ−Ｂ２）として出力したり、階調変換されないデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）として出力する。
【００６１】
第２ＶＢＲ−Ｂ方式ディミング信号（ＶＢＲ−Ｂ２）は、第２ＭＵＸ２４６を介してインバータ部２５０に入力され、インバータ部２５０は、ＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。これにより、前記駆動システムを含む液晶表示装置は、映像データの階調変換やコントラストの改善なくバックライトユニットの発光回数を減少させることによって消費電力が減少された一般モードで駆動される。
【００６２】
一方、使用者の選択によって高級モードイネーブル信号（ＡＭ−ＥＮ）が“１”の値を有する場合、駆動システムは高級モードで駆動される。この場合、システム部２４０は、“１”の値を有する高級モードイネーブル信号（ＡＭ−ＥＮ）をコントロール部２３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部２５０に伝送し、インバータ部２５０は第１ＶＢＲ−Ｂ方式ディミング信号（ＶＢＲ−Ｂ１）を第１ＭＵＸ２３４を介してコントロール部２３０のタイミングコントローラ２３２に伝達する。
【００６３】
タイミングコントローラ２３２は、コントラストの改善及び消費電力の改善のために映像データの階調を変換し変換された映像データに対応する階調変換状態信号を出力する。また、タイミングコントローラ２３２は、変換された映像データに対応する階調変換状態信号によって第１ＶＢＲ−Ｂ方式ディミング信号（ＶＢＲ−Ｂ１）を変調してコントラストの改善及び消費電力の改善のための第２ＶＢＲ−Ｂ方式ディミング信号（ＶＢＲ−Ｂ２）を出力する。
【００６４】
第２ＶＢＲ−Ｂ方式ディミング信号（ＶＢＲ−Ｂ２）は、第２ＭＵＸ２４６を介してインバータ部２５０に入力され、インバータ部２５０は、ＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。第２ＶＢＲ−Ｂ方式ディミング信号（ＶＢＲ−Ｂ２）は、第１ＶＢＲ−Ｂ方式ディミング信号（ＶＢＲ−Ｂ１）に比べて発光回数と照度がさらに減少されるようにバックライトユニットを制御するので、前記駆動システムを含む液晶表示装置は、映像データの階調変換を行なってコントラスト及び消費電力が改善された高級モードで駆動される。
【００６５】
前記のような駆動システムは、製造元にかかわりなくシステム回路部２４０の使用のために提案されたものであって、前記コントロール部２３０の第１コネクタ（ＣＮ１）と前記システム部２４０の第２コネクタ（ＣＮ２）それぞれには液晶表示装置の駆動モード、すなわち一般モードまたは高級モードの選択のための高級モードイネーブル信号（ＡＭ−ＥＮ）伝送用ピン１個だけがさらに必要であり、これはダミーピンを利用することが可能であるので、一般モードだけで駆動される液晶表示装置用システム部にも本発明の第２実施の形態によるインバータ部２５０及びコントロール部２３０を適用できる。すなわち、新たなピン−マップの設計及び製作がなくてもＤＣＲまたはＯＰＣのようなコントラスト及び消費電力が改善された高級モード駆動の実現が可能であるので、本発明のインバータ部２５０及びコントロール部２３０を全てのシステム製造社の液晶表示装置のセットに汎用できる利点がある。
【００６６】
一方、第２実施の形態では、高級モードイネーブル信号（ＡＭ−ＥＮ）が第１及び第２コネクタ（ＣＮ１、ＣＮ２）と第１ケーブル（ＣＢ１）を介してシステム部２４０からコントロール部２３０に伝達されるが、他の実施の形態では、高級モードイネーブル信号（ＡＭ−ＥＮ）が第３及び第４コネクタ（ＣＮ３、ＣＮ４）と第２ケーブル（ＣＢ２）を介してシステム部２４０からインバータ部２５０に伝達され再び第５及び第６コネクタ（ＣＮ５、ＣＮ６）と第３ケーブル（ＣＢ３）を介してインバータ部２５０からコントロール部２３０に伝達されることができる。
【００６７】
この場合、高級モードイネーブル信号（ＡＭ−ＥＮ）がインバータ部２５０を経て（bypass）コントロール部２３０に伝達されるのでコントロール部２３０の第１コネクタ（ＣＮ１）と前記システム部２４０の第２コネクタ（ＣＮ２）には液晶表示装置の駆動モード、すなわち一般モードまたは高級モードの選択のための高級モードイネーブル信号（ＡＭ−ＥＮ）の伝送のための追加的なダミーピンさえも必要でない。したがって、一般モードだけで駆動される液晶表示装置用システム部にも構造変更なしにコントラスト及び消費電力の改善のような高級モード駆動が可能な液晶表示装置用インバータ部及びコントロール部をさらに安定的に適用できる。すなわち、他の実施の形態によるインバータ部及びコントロール部は、新たなピン−マップの設計及び製作がなくてもＤＣＲまたはＯＰＣのようなコントラスト及び消費電力が改善された高級モード駆動が可能であるので全てのシステム製造社別液晶表示装置のセットに汎用できる利点がある。
【００６８】
さらに具体的な適用例示を下記の第３の実施の形態及び第４の実施の形態を介して説明する。
【００６９】
図６及び図７は、それぞれ本発明の第３及び第４の実施の形態による液晶表示装置のバックライト駆動システムを説明するための図面である。
【００７０】
図６及び図７の駆動システムの構成は、それぞれＰＷＭ信号及びアナログＤＣ電圧信号を第１ＶＢＲ−Ｂ方式ディミング信号で用いた場合である。なお、図６及び図７の駆動システムの構成は、前述した図４の場合と同様であるので同じ部分に対する説明は省略する。
【００７１】
図６に示したように、液晶表示装置のバックライト駆動システムは、コントロール部３３０とシステム部３４０とインバータ部３５０で構成され、液晶表示装置は、使用者の選択によってコントラストの改善なく消費電力が改善される一般モードまたはコントラスト及び消費電力が改善される高級モードで駆動される。
【００７２】
システム部３４０は、高級モードイネーブル信号（ＡＭ−ＥＮ）を生成して第１及び第２コネクタ（ＣＮ１、ＣＮ２）と第１信号ケーブル（ＣＢ１）を介してコントロール部３３０に直接伝送する。例えば、高級モードイネーブル信号（ＡＭ−ＥＮ）が“０”であれば、コントラストの改善駆動がオフされ、コントロール部３３０は映像データ階調変換等の動作なしにバックライト発光制御のための一般タイミングコントローラディミング信号を生成し、液晶表示装置は一般モードで動作する。高級モードイネーブル信号（ＡＭ−ＥＮ）が“１”であれば、コントラスト及び消費電力の改善駆動がオンされ、コントロール部３３０は、映像データ階調変換等の動作を行って前記階調変換に基づいてバックライト発光制御のための高級タイミングコントローラディミング信号を生成し、液晶表示装置は、コントラスト及び消費電力が改善された高級モードで動作する。
【００７３】
前記システム部３４０は、前記コントロール部３３０に映像データとメインクロック、水平／垂直同期信号等を提供するＴＶシステムまたはグラフィックカードで、特に液晶表示装置に構成されたバックライトの発光制御のために提供されるバックライト制御用ディミング信号の方式でアナログ電圧のみ提供するＶＢＲ−Ａ方式と、ＰＷＭ信号及びアナログ電圧の中選択された一つを提供するＶＢＲ−Ｂ方式がある。ここでは、システム部３４０がＰＷＭ信号形式の第１ＶＢＲ−Ｂ方式ディミング信号（ＶＢＲ−Ｂ１）を出力するので、第１及び第２ＭＵＸ３３４、３３６それぞれはＰＷＭ入力端子（ＰＷＭ−ＩＮ）及びＰＷＭ出力端子（ＰＷＭ−ＯＵＴ）をタイミングコントローラ３３２の使用端子として選択するように制御される。
【００７４】
システム部３４０が提供する第１ＶＢＲ−Ｂ方式ディミング信号（ＶＲＢ−Ｂ１）はインバータ部３５０を介して（bypass）コントロール部３３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）は、システム部３４０とインバータ部３５０を連結する第３及び第４コネクタ（ＣＮ３、ＣＮ４）と第２信号ケーブル（ＣＢ２）を介してインバータ部３５０に伝送され、そのうち第１ＶＢＲ−Ｂ方式ディミング信号（ＶＲＢ−Ｂ１）はインバータ部３５０とコントロール部３３０を連結する第５及び第６コネクタ（ＣＮ５、ＣＮ６）と第３信号ケーブル（ＣＢ３）を介してコントロール部３３０に伝送される。
【００７５】
インバータ部３５０は、バックライトの発光制御のためのインバータ回路を実装して、前記システム部３４０または前記コントロール部３３０から提供されるバックライト制御用ディミング信号によって前記バックライトの発光制御を行う。特に、前記インバータ部３５０は、前記システム部３４０から入力されるＰＷＭ信号形式の第１ＶＢＲ−Ｂ方式ディミング信号（ＶＢＲ−Ｂ１）を前記コントロール部３３０に伝達（bypass）して、前記コントロール部３３０からＰＷＭ信号形式の第２ＶＢＲ−Ｂ方式ディミング信号（ＶＢＲ−Ｂ２）の入力を受けて前記バックライトの発光制御を行う。
【００７６】
コントロール部３３０は、タイミングコントローラ３３２と第１及び第２ＭＵＸ３３４、３３６を含む。タイミングコントローラ３３２は、集積回路の形態で構成され、第１及び第２ＭＵＸ３３４、３３６は抵抗で構成される。図６では、第１及び第２ＭＵＸ３３４、３３６がタイミングコントローラ３３２と独立的なもので示したが、他の実施の形態では、第１及び第２ＭＵＸ３３４、３３６がタイミングコントローラ３３２に集積されることができる。また、図６に示さなかったが、タイミングコントローラ３３２は、システム部３４０から伝送された映像データ、メインクロック、水平同期信号及び垂直同期信号を利用してデータ信号を生成して液晶パネルに供給し、データ変換部及びディミング信号変調部を含む。すなわち、ＰＷＭ信号形式の第１ＶＢＲ−Ｂ方式ディミング信号（ＶＢＲ−Ｂ１）が第１ＭＵＸ３３４を介してディミング信号変調部に入力され、ディミング信号変調部はデータ変換部の階調変換状態信号によってＰＷＭ信号形式の第１ＶＢＲ−Ｂ方式ディミング信号（ＶＢＲ−Ｂ１）を変調してＰＷＭ信号形式の第２ＶＢＲ−Ｂ方式ディミング信号（ＶＢＲ−Ｂ２）を生成する。そして、ＰＷＭ信号形式の第２ＶＢＲ−Ｂ方式ディミング信号（ＶＢＲ−Ｂ２）、すなわちコントロールディミング信号は第３ケーブル（ＣＢ３）を介してインバータ部３５０に伝送される。
【００７７】
この時、コントロール部３３０は、システム部３４０の高級モードイネーブル信号（ＡＭ−ＥＮ）にしたがって別に動作するようになるが、例えば、高級モードイネーブル信号（ＡＭ−ＥＮ）が“０”であれば、データ変換部は映像データの階調を変換しなく階調変換がない映像データに対応する階調変換状態信号を出力する。したがって、映像データに対応するデータ信号がデータストレッチのような変換なしに液晶パネルに供給され、ディミング信号変調部は、データ変換がないデータ信号に対応する階調変換状態信号によって第１ＶＢＲ−Ｂ方式ディミング信号（ＶＢＲ−Ｂ１）をそのまま第２ＶＢＲ−Ｂ方式ディミング信号（ＶＢＲ−Ｂ２）で出力したり、またはデータ変換がないデータ信号に対応する階調変換状態信号によってデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【００７８】
また、高級モードイネーブル信号（ＡＭ−ＥＮ）が“１”であれば、データ変換部は、映像データの階調を変換して（例えば、データストレッチ）、階調変換された映像データに対応する階調変換状態信号を出力する。したがって、変換された映像データに対応するデータ信号が液晶パネルに供給され、ディミング信号変調部は、階調変換された映像データに対応する階調変換状態信号によって第１ＶＢＲ−Ｂ方式ディミング信号（ＶＢＲ−Ｂ１）を変調及び合成して第２ＶＢＲ−Ｂ方式ディミング信号（ＶＢＲ−Ｂ２）を出力する。この時、第２ＶＢＲ−Ｂ方式ディミング信号（ＶＢＲ−Ｂ２）はデータ信号に同期化される。
【００７９】
インバータ部３５０は、システム部３４０のＶＢＲ−Ａ方式ディミング信号（ＶＢＲ−Ａ）とコントロール部３３０の第２ＶＢＲ−Ｂ方式ディミング信号（ＶＢＲ−Ｂ２）を利用してバックライトユニットの発光回数（発光周期）及び照度を制御することによって、コントラスト及び消費電力を改善する。
【００８０】
したがって、第３の実施の形態による駆動システムを含む液晶表示装置は、使用者の選択によって、コントラストの改善なく消費電力が改善される一般モードと、コントラスト及び消費電力が改善される高級モードの中一つで駆動される。
【００８１】
一方、図７に示したように、液晶表示装置のバックライト駆動システムは、コントロール部４３０とシステム部４４０とインバータ部４５０で構成され、液晶表示装置は、使用者の選択によってコントラストの改善なく消費電力が改善される一般モードまたはコントラスト及び消費電力が改善される高級モードで駆動される。
【００８２】
システム部４４０は、高級モードイネーブル信号（ＡＭ−ＥＮ）を生成して第１及び第２コネクタ（ＣＮ１、ＣＮ２）と第１信号ケーブル（ＣＢ１）を介してコントロール部４３０に直接伝送する。例えば、高級モードイネーブル信号（ＡＭ−ＥＮ）が“０”であれば、コントラストの改善駆動がオフされ、コントロール部４３０は、映像データ階調変換等の動作なしにバックライト発光制御のための一般タイミングコントローラディミング信号を生成し、液晶表示装置は、一般モードで動作する。他方、高級モードイネーブル信号（ＡＭ−ＥＮ）が“１”であれば、コントラスト及び消費電力の改善駆動がオンされ、コントロール部４３０は映像データ階調変換等の動作を行って前記階調変換に基づいてバックライト発光制御のための高級タイミングコントローラディミング信号を生成し、液晶表示装置は、コントラスト及び消費電力が改善された高級モードで動作する。
【００８３】
前記システム部４４０は、前記コントロール部４３０に映像データとメインクロック、水平／垂直同期信号等を提供するＴＶシステムまたはグラフィックカードで、特に液晶表示装置に構成されたバックライトの発光制御のために提供されるバックライト制御用ディミング信号の方式でアナログ電圧のみ提供するＶＢＲ−Ａ方式と、ＰＷＭ信号及びアナログ電圧の中選択された一つを提供するＶＢＲ−Ｂ方式がある。ここでは、システム部４４０がアナログＤＣ電圧信号形式の第１ＶＢＲ−Ｂ方式ディミング信号（ＶＢＲ−Ｂ１）を出力するので、第１及び第２ＭＵＸ４３４、４３６それぞれはＤＣ入力端子（ＤＣ−ＩＮ）及びＤＣ出力端子（ＤＣ−ＯＵＴ）をタイミングコントローラ４３２の使用端子で選択するように制御される。
【００８４】
システム部４４０が提供する第１ＶＢＲ−Ｂ方式ディミング信号（ＶＲＢ−Ｂ１）はインバータ部４５０を介して（bypass）コントロール部４３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）はシステム部４４０とインバータ部４５０を連結する第３及び第４コネクタ（ＣＮ３、ＣＮ４）と第２信号ケーブル（ＣＢ２）を介してインバータ部４５０に伝送され、そのうち、第１ＶＢＲ−Ｂ方式ディミング信号（ＶＲＢ−Ｂ１）はインバータ部４５０とコントロール部４３０を連結する第５及び第６コネクタ（ＣＮ５、ＣＮ６）と第３信号ケーブル（ＣＢ３）を介してコントロール部４３０に伝送される。
【００８５】
インバータ部４５０は、バックライトの発光制御のためのインバータ回路を実装して、前記システム部４４０または前記コントロール部４３０から提供されるバックライト制御用ディミング信号によって前記バックライトの発光制御を行う。特に、前記インバータ部４５０は、前記システム部４４０から入力されるアナログＤＣ電圧信号形式の第１ＶＢＲ−Ｂ方式ディミング信号（ＶＢＲ−Ｂ１）を前記コントロール部４３０に伝達（bypass）して、前記コントロール部４３０からアナログＤＣ電圧信号形式の第２ＶＢＲ−Ｂ方式ディミング信号（ＶＢＲ−Ｂ２）の入力を受けて前記バックライトの発光制御を行う。
【００８６】
コントロール部４３０は、タイミングコントローラ４３２と第１及び第２ＭＵＸ４３４、４３６を含む。タイミングコントローラ４３２は、集積回路の形態で構成されることができ、第１及び第２ＭＵＸ４３４、４３６は抵抗で構成される。図７では、第１及び第２ＭＵＸ４３４、４３６がタイミングコントローラ４３２と独立的なもので示したが、他の実施の形態では、第１及び第２ＭＵＸ４３４、４３６がタイミングコントローラ４３２に集積することができる。また、図７に示さなかったが、タイミングコントローラ４３２は、システム部４４０から伝送された映像データ、メインクロック、水平同期信号及び垂直同期信号を利用してデータ信号を生成して液晶パネルに供給し、データ変換部及びディミング信号変調部を含む。すなわち、ＰＷＭ信号形式の第１ＶＢＲ−Ｂ方式ディミング信号（ＶＢＲ−Ｂ１）が第１ＭＵＸ４３４を介してディミング信号変調部に入力され、ディミング信号変調部はデータ変換部の階調変換状態信号によってアナログＤＣ電圧信号形式の第１ＶＢＲ−Ｂ方式ディミング信号（ＶＢＲ−Ｂ１）を変調してアナログＤＣ電圧信号形式の第２ＶＢＲ−Ｂ方式ディミング信号（ＶＢＲ−Ｂ２）を生成する。そして、アナログＤＣ電圧信号形式の第２ＶＢＲ−Ｂ方式ディミング信号（ＶＢＲ−Ｂ２）、すなわちコントロールディミング信号は第３ケーブル（ＣＢ３）を介してインバータ部４５０に伝送される。
【００８７】
そして、タイミングコントローラ４３２は、モード出力端子（ＲＥＦＭＯＤＥ）と同期出力端子（ＷＰＷＭ）をさらに含む。モード出力端子（ＲＥＦＭＯＤＥ）はＮＴＳＣ方式及びＰＡＬ方式等の映像表示方式に対応するモード信号を出力し、同期出力端子（ＷＰＷＭ）はデータ信号に対応する同期信号を出力する。ＰＷＭ信号とは異なり、アナログＤＣ電圧信号はデータ信号に同期化されていないので、インバータ部４５０は同期出力端子（ＷＰＷＭ）から出力された同期信号を利用して第２ＶＢＲ−Ｂ方式ディミング信号（ＶＢＲ−Ｂ２）をデータ信号に同期化する。
【００８８】
この時、コントロール部４３０はシステム部４４０の高級モードイネーブル信号（ＡＭ−ＥＮ）にしたがって別に動作するようになるが、例えば、高級モードイネーブル信号（ＡＭ−ＥＮ）が“０”であれば、データ変換部は映像データの階調を変換しなく階調変換がない映像データに対応する階調変換状態信号を出力する。したがって、映像データに対応するデータ信号がデータストレッチのような変換なしに液晶パネルに供給され、ディミング信号変調部はデータ変換がないデータ信号に対応する階調変換状態信号によって第１ＶＢＲ−Ｂ方式ディミング信号（ＶＢＲ−Ｂ１）をそのまま第２ＶＢＲ−Ｂ方式ディミング信号（ＶＢＲ−Ｂ２）で出力したり、またはデータ変換がないデータ信号に対応する階調変換状態信号によってデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【００８９】
また、高級モードイネーブル信号（ＡＭ−ＥＮ）が“１”であれば、データ変換部は映像データの階調を変換して（例えば、データストレッチ）、階調変換された映像データに対応する階調変換状態信号を出力する。したがって、変換された映像データに対応するデータ信号が液晶パネルに供給され、ディミング信号変調部は階調変換された映像データに対応する階調変換状態信号によって第１ＶＢＲ−Ｂ方式ディミング信号（ＶＢＲ−Ｂ１）を変調及び合成して第２ＶＢＲ−Ｂ方式ディミング信号（ＶＢＲ−Ｂ２）を出力する。この時、第２ＶＢＲ−Ｂ方式ディミング信号（ＶＢＲ−Ｂ２）はデータ信号に同期化される。
【００９０】
インバータ部４５０は、システム部３４０のＶＢＲ−Ａ方式ディミング信号（ＶＢＲ−Ａ）とコントロール部４３０の第２ＶＢＲ−Ｂ方式ディミング信号（ＶＢＲ−Ｂ２）を利用してバックライトユニットの発光回数（発光周期）及び照度を制御することによって、コントラスト及び消費電力を改善する。
【００９１】
したがって、第４の実施の形態による駆動システムを含む液晶表示装置は、使用者の選択によって、コントラストの改善なく消費電力が改善される一般モードと、コントラスト及び消費電力が改善される高級モードの中一つで動作される。
【００９２】
図６及び図７の第３及び第４の実施の形態による駆動システムは、製造元にかかわりなくシステム回路部３４０、４４０の使用のために提案されたものであって、コントロール部３３０、４３０の第１コネクタ（ＣＮ１）と前記システム部３４０、４４０の第２コネクタ（ＣＮ２）それぞれには液晶表示装置の駆動モード、すなわち一般モードまたは高級モードの選択のための高級モードイネーブル信号（ＡＭ−ＥＮ）伝送用ピン１個だけがさらに必要であり、これはダミーピンを利用することが可能であるので、一般モードだけで駆動される液晶表示装置用システム部にも本発明の第３及び第４の実施の形態によるインバータ部３５０、４５０及びコントロール部３３０、４３０を適用できる。すなわち、新たなピン−マップの設計及び製作がなくてもＤＣＲまたはＯＰＣのようなコントラスト及び消費電力が改善された高級モード駆動の実現が可能であるので、本発明のインバータ部３５０、４５０及びコントロール部３３０、４３０を全てのシステム製造社の液晶表示装置のセットに汎用できる利点がある。
【００９３】
一方、第３及び第４の実施の形態では、高級モードイネーブル信号（ＡＭ−ＥＮ）が第１及び第２コネクタ（ＣＮ１、ＣＮ２）と第１ケーブル（ＣＢ１）を介してシステム部３４０、４４０からコントロール部３３０、４３０に伝達されるが、他の実施の形態では、高級モードイネーブル信号（ＡＭ−ＥＮ）が第３及び第４コネクタ（ＣＮ３、ＣＮ４）と第２ケーブル（ＣＢ２）を介してシステム部３４０、４４０からインバータ部３５０、４５０に伝達されて再び第５及び第６コネクタ（ＣＮ５、ＣＮ６）と第３ケーブル（ＣＢ３）を介してインバータ部３５０、４５０からコントロール部３３０、４３０に伝達されることができる。
【００９４】
この場合、高級モードイネーブル信号（ＡＭ−ＥＮ）がインバータ部３５０、４５０を経て（bypass）コントロール部３３０、４３０に伝達されるので、コントロール部３３０、４３０の第１コネクタ（ＣＮ１）と前記システム部３４０、４４０の第２コネクタ（ＣＮ２）には液晶表示装置の駆動モード、すなわち一般モードまたは高級モードの選択のための高級モードイネーブル信号（ＡＭ−ＥＮ）の伝送のための追加的なダミーピンさえも必要でない。したがって、一般モードだけで駆動される液晶表示装置用システム部にも構造変更なしにコントラスト及び消費電力の改善のような高級モード駆動が可能な液晶表示装置用インバータ部及びコントロール部をさらに安定的に適用できる。すなわち、他の実施の形態によるインバータ部及びコントロール部は、新たなピン−マップの設計及び製作がなくてもＤＣＲまたはＯＰＣのようなコントラスト及び消費電力が改善された高級モード駆動が可能であるので全てのシステム製造社別液晶表示装置のセットに汎用できる利点がある。
【００９５】
図８は、本発明の第５の実施の形態による液晶表示装置用バックライト駆動システムの構成を示した構成図であり、図９は、図８の駆動システムのタイミングコントローラを示した図面であり、図１０は、図８の駆動システムのタイミングコントローラにおけるアナログ−ＰＷＭ変換を示した図面である。図８の駆動システムの構成は図４の場合と同様であるので同じ部分に対する説明は省略する。
【００９６】
図８に示したように、液晶表示装置のバックライト駆動システムは、コントロール部５３０とシステム部５４０とインバータ部５５０で構成され、液晶表示装置は、使用者の選択によってコントラストの改善なく消費電力が改善される一般モードまたはコントラスト及び消費電力が改善される高級モードで駆動される。
【００９７】
コントロール部５３０とシステム部５４０は、コントロール部５３０の第１コネクタ（ＣＮ１）とシステム部５４０の第２コネクタ（ＣＮ２）を連結する第１ケーブル（ＣＢ１）を介して連結され、システム部５４０とインバータ部５５０は、システム部５４０の第３コネクタ（ＣＮ３）とインバータ部５５０の第４コネクタ（ＣＮ４）を連結する第２ケーブル（ＣＢ２）を介して連結され、インバータ部５５０とコントロール部５３０は、インバータ部５５０の第５コネクタ（ＣＮ５）とコントロール部５３０の第６コネクタ（ＣＮ６）を連結する第３ケーブル（ＣＢ３）を介して連結される。この時、第１ないし第３ケーブル（ＣＢ３）は少なくとも一つの伝送線で構成できる。ここで、第３及び第４コネクタ（ＣＮ３、ＣＮ４）それぞれは１４ピンで構成され、第５及び第６コネクタ（ＣＮ５、ＣＮ６）それぞれは４ピンで構成される。
【００９８】
使用者は、液晶表示装置を一般モードまたはコントラスト及び消費電力の改善のような高級モードで駆動できるが、このために、システム部５４０は、高級モードイネーブル信号（ＡＭ−ＥＮ）を生成して第１及び第２コネクタ（ＣＮ１、ＣＮ２）と第１信号ケーブル（ＣＢ１）を介してコントロール部５３０に直接伝送する。例えば、高級モードイネーブル信号（ＡＭ−ＥＮ）が“０”であれば、コントラストの改善駆動がオフされ、コントロール部５３０は映像データ階調変換等の動作なしにバックライト発光制御のための一般タイミングコントローラディミング信号を生成し、液晶表示装置は一般モードで動作する。他方、高級モードイネーブル信号（ＡＭ−ＥＮ）が“１”であれば、コントラスト及び消費電力の改善駆動がオンされ、コントロール部５３０は映像データ階調変換等の動作を行って前記階調変換に基づいてバックライト発光制御のための高級タイミングコントローラディミング信号を生成し、液晶表示装置はコントラスト及び消費電力が改善された高級モードで動作する。前記一般タイミングコントローラディミング信号及び高級タイミングコントローラディミング信号は第２ＶＢＲ−Ｂ方式ディミング信号（ＶＢＲ−Ｂ２）としてインバータ部５５０に伝達される。
【００９９】
前記システム部５４０は、前記コントロール部５３０に映像データとメインクロック、水平／垂直同期信号等を提供するＴＶシステムまたはグラフィックカードで、特に液晶表示装置に構成されたバックライトの発光制御のために提供されるバックライト制御用ディミング信号の方式でアナログ電圧のみ提供するＶＢＲ−Ａ方式と、ＰＷＭ信号及びアナログ電圧の中選択された一つを提供するＶＢＲ−Ｂ方式がある。
【０１００】
このうち、システム部５４０が提供する第１ＶＢＲ−Ｂ方式ディミング信号（ＶＲＢ−Ｂ１）はインバータ部５５０を介して（bypass）コントロール部５３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）はシステム部５４０とインバータ部５５０を連結する第３及び第４コネクタ（ＣＮ３、ＣＮ４）と第２信号ケーブル（ＣＢ２）を介してインバータ部５５０に伝送され、そのうち、第１ＶＢＲ−Ｂ方式ディミング信号（ＶＲＢ−Ｂ１）はインバータ部５５０とコントロール部５３０を連結する第５及び第６コネクタ（ＣＮ５、ＣＮ６）と第３信号ケーブル（ＣＢ３）を介してコントロール部５３０に伝送される。
【０１０１】
インバータ部５５０はバックライトの発光制御のためのインバータ回路を実装し、前記システム部５４０または前記コントロール部５３０から提供されるバックライト制御用ディミング信号によって前記バックライトの発光制御を行う。特に、前記インバータ部５５０は、前記システム部５４０から入力される第１ＶＢＲ−Ｂ方式ディミング信号（ＶＢＲ−Ｂ１）を前記コントロール部５３０の第１ＭＵＸ  ５３４に伝達（bypass）し、前記コントロール部５３０から第２ＶＢＲ−Ｂ方式ディミング信号（ＶＢＲ−Ｂ２）の入力を受けて前記バックライトの発光制御を行う。
【０１０２】
コントロール部５３０はタイミングコントローラ５３２と第１ＭＵＸ５３４を含む。タイミングコントローラ５３２は集積回路の形態で構成されることができ、第１ＭＵＸ５３４は抵抗で構成されることができる。図８では、第１ＭＵＸ５３４がタイミングコントローラ５３２と独立的なもので示したが、他の実施の形態では、第１ＭＵＸ５３４がタイミングコントローラ５３２に集積されることができる。また、図８に示さなかったが、タイミングコントローラ５３２はシステム部５４０から伝送された映像データ、メインクロック、水平同期信号及び垂直同期信号を利用してデータ信号を生成して液晶パネルに供給する。
【０１０３】
そして、図９に示したように、タイミングコントローラ５３２は、データ変換部５３２ａと、アナログ−ＰＷＭ変換部５３２ｂと、ディミング信号変調部５３２ｃを含む。インバータ部５５０を介してコントロール部５３０に伝達される第１ＶＢＲ−Ｂ方式ディミング信号（ＶＢＲ−Ｂ１）はＰＷＭ信号形式及びアナログＤＣ電圧信号形式の中一つの形式を有するが、ＰＷＭ信号形式の第１ＶＢＲ−Ｂ方式ディミング信号（ＶＢＲ−Ｂ１）は第１ＭＵＸ５３４の選択によってタイミングコントローラ５３２のＰＷＭ入力端子（ＰＷＭ−ＩＮ）を介してディミング信号変調部５３２ｃに入力され、アナログＤＣ電圧信号形式の第１ＶＢＲ−Ｂ方式ディミング信号（ＶＢＲ−Ｂ１）は第１ＭＵＸ５３４の選択によってタイミングコントローラ５３２のＤＣ入力端子（ＤＣ−ＩＮ）を介してアナログ−ＰＷＭ変換部５３２ｂに入力される。ディミング信号変調部５３２ｃはシステム部５４０からＰＷＭ信号形式の第１ＶＢＲ−Ｂ方式ディミング信号（ＶＢＲ−Ｂ１）の入力を受けて、アナログ−ＰＷＭ信号変換部５３２ｂから変換されたＰＷＭ信号形式の第１ＶＢＲ−Ｂ方式ディミング信号（ＶＢＲ−Ｂ１）の入力を受ける。また、ディミング信号変調部５３２ｃは第２ＶＢＲ−Ｂ方式ディミング信号（ＶＢＲ−Ｂ２）を出力し、第２ＶＢＲ−Ｂ方式ディミング信号（ＶＢＲ−Ｂ２）は第３ケーブル（ＣＮ３）を介してインバータ部５５０に伝達される。
【０１０４】
第１ＶＢＲ−Ｂ方式ディミング信号（ＶＢＲ−Ｂ１）がアナログＤＣ電圧信号形式の場合、アナログ−ＰＷＭ変換部５３２ｂはアナログＤＣ電圧信号形式をデジタル信号形式に変換し、デジタル信号形式をアナログＤＣ電圧信号の電圧レベルに対応する高電位幅比率（high width ratio）を有する変換されたＰＷＭ信号形式に再び変換する。ここで、アナログＤＣ電圧信号形式はアナログ−デジタル変換器を利用してデジタル信号形式に変換することができる。
【０１０５】
図１０に示したように、アナログＤＣ電圧信号が０．０Ｖから３．３Ｖ間の電圧レベルを有する場合、変換されたＰＷＭ信号は３０％から１００％間の高電位幅比率を有することができる。例えば、アナログＤＣ電圧信号は、最大及び最小電圧レベル、すなわち０．０Ｖ及び３．３Ｖがそれぞれ３０％及び１００％の高電圧幅比率に対応するように変換されたＰＷＭ信号に変換することができる。また、図１０は変換されたＰＷＭ信号の多様な高電位幅比率の波形を図示しているが、電圧レベルと高電位幅比率の対応性は多様な実施の形態で相異なるように決定することができる。
【０１０６】
アナログ−ＰＷＭ変換部５３２ｂの変換されたＰＷＭ信号形式の第１ＶＢＲ−Ｂ方式ディミング信号（ＶＢＲ−Ｂ１）またはシステム部５４０のＰＷＭ信号形式の第１ＶＢＲ−Ｂ方式ディミング信号（ＶＢＲ−Ｂ１）がディミング信号変調部５３２ｃに伝達されるので、システム部５４０のＶＢＲ−Ｂ方式ディミング信号の形式に関係なく、すなわちシステム部５４０の第１ＶＢＲ−Ｂ方式ディミング信号（ＶＢＲ−Ｂ１）がＰＷＭ信号形式の場合とアナログＤＣ電圧信号形式の場合全てディミング信号変調部５３２ｃは最終的にＰＷＭ信号形式の第１ＶＢＲ−Ｂ方式ディミング信号（ＶＢＲ−Ｂ１）の入力を受けるようになる。したがって、第１ＶＢＲ−Ｂ方式ディミング信号（ＶＢＲ−Ｂ１）がＰＷＭ信号形式の場合とアナログＤＣ電圧信号形式の場合、常にディミング信号変調部５３２ｃから出力される第２ＶＢＲ−Ｂ方式ディミング信号（ＶＢＲ−Ｂ２）はＰＷＭ信号形式を有する。
【０１０７】
一方、コントロール部５３０はシステム部５４０の高級モードイネーブル信号（ＡＭ−ＥＮ）にしたがって別に動作するようになるが、例えば、高級モードイネーブル信号（ＡＭ−ＥＮ）が“０”であれば、データ変換部５３２ａは映像データの階調を変換しなく階調変換がない映像データに対応する階調変換状態信号を出力する。したがって、映像データに対応するデータ信号がデータストレッチのような変換なしに液晶パネルに供給される。そして、アナログ−ＰＷＭ変換部５３２ｂは第１ＶＢＲ−Ｂ方式ディミング信号（ＶＢＲ−Ｂ１）のアナログＤＣ電圧信号形式を変換されたＰＷＭ信号形式に変換し、変換されたＰＷＭ信号形式の第１ＶＢＲ−Ｂ方式ディミング信号（ＶＢＲ−Ｂ１）はディミング信号変調部５３２ｃに伝達される。ディミング信号変調部５３２ｃはアナログ−ＰＷＭ変換部５３２ｂから変換されたＰＷＭ信号形式の第１ＶＢＲ−Ｂ方式ディミング信号（ＶＢＲ−Ｂ１）の入力を受けたりシステム部５４０からＰＷＭ信号形式の第１ＶＢＲ−Ｂ方式ディミング信号（ＶＢＲ−Ｂ１）の入力を受ける。そして、ディミング信号変調部５３２ｃはデータ変換がない映像データに対応する階調変換状態信号によって第１ＶＢＲ−Ｂ方式ディミング信号（ＶＢＲ−Ｂ１）をそのまま第２ＶＢＲ−Ｂ方式ディミング信号（ＶＢＲ−Ｂ２）で出力したり、または階調変換ないデータ信号に対応する階調変換状態信号によってデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【０１０８】
また、高級モードイネーブル信号（ＡＭ−ＥＮ）が“１”であれば、、データ変換部５３２ａは映像データの階調を変換して（例えば、データストレッチ）、階調変換された映像データに対応する階調変換状態信号を出力する。したがって、変換された映像データに対応するデータ信号が液晶パネルに供給される。そして、階調変換された映像データに対応する階調変換状態信号がデータ変換部５３２ａからディミング信号変調部５３２ｃに伝達される。アナログ−ＰＷＭ変換部５３２ｂは第１ＶＢＲ−Ｂ方式ディミング信号（ＶＢＲ−Ｂ１）のアナログＤＣ電圧信号形式を変換されたＰＷＭ信号形式に変換し、変換されたＰＷＭ信号形式の第１ＶＢＲ−Ｂ方式ディミング信号（ＶＢＲ−Ｂ１）はディミング信号変調部５３２ｃに伝達される。ディミング信号変調部５３２ｃはアナログ−ＰＷＭ変換部５３２ｂから変換されたＰＷＭ信号形式の第１ＶＢＲ−Ｂ方式ディミング信号（ＶＢＲ−Ｂ１）の入力を受けたりシステム部５４０からＰＷＭ信号形式の第１ＶＢＲ−Ｂ方式ディミング信号（ＶＢＲ−Ｂ１）の入力を受ける。また、ディミング信号変調部５３２ｃは階調変換された映像データに対応する階調変換状態信号によって第１ＶＢＲ−Ｂ方式ディミング信号（ＶＢＲ−Ｂ１）を変調及び合成して第２ＶＢＲ−Ｂ方式ディミング信号（ＶＢＲ−Ｂ２）を出力する。この時、第２ＶＢＲ−Ｂ方式ディミング信号（ＶＢＲ−Ｂ２）はデータ信号に同期化される。
【０１０９】
ディミング信号変調部５３２ｃは変換されたＰＷＭ信号形式の第１ＶＢＲ−Ｂ方式ディミング信号（ＶＢＲ−Ｂ１）またはＰＷＭ信号形式の第１ＶＢＲ−Ｂ方式ディミング信号（ＶＢＲ−Ｂ１）の入力を受けるので、ディミング信号変調部５３２ｃは常にＰＷＭ信号形式の第２ＶＢＲ−Ｂ方式ディミング信号（ＶＢＲ−Ｂ２）をインバータ部５５０に出力する。したがって、タイミングコントローラ５３２は第２ＶＢＲ−Ｂ方式ディミング信号（ＶＢＲ−Ｂ２）のための一つの出力端子、すなわちＰＷＭ出力端子（ＰＷＭ−ＯＵＴ）のみを含み、コントロール部５３０は第１ＶＢＲ−Ｂ方式ディミング信号（ＶＢＲ−Ｂ１）のための一つのＭＵＸ、すなわち第１ＭＵＸ５３４のみを含む。その結果、コントロール部５３０の構成が簡単になる。そして、ＰＷＭ信号は同期化のための追加的な伝送線を必要としないので、第３ケーブル（ＣＢ３）の伝送線数も減少され、インバータ部６５０もＰＷＭ信号形式の第２ＶＢＲ−Ｂ方式ディミング信号（ＶＢＲ−Ｂ２）だけの入力を受けるのでその構成が簡単になる。
【０１１０】
そして、インバータ部５５０は、システム部５４０のＶＢＲ−Ａ方式ディミング信号（ＶＢＲ−Ａ）とコントロール部５３０の第２ＶＢＲ−Ｂ方式ディミング信号（ＶＢＲ−Ｂ２）を利用してバックライトユニットの発光回数（発光周期）及び照度を制御することによって、コントラスト及び消費電力を改善する。
【０１１１】
このような第５の実施の形態による駆動システムの動作を以下に要約して説明する。
【０１１２】
使用者の選択によって高級モードイネーブル信号（ＡＭ−ＥＮ）が“０”の値を有する場合、駆動システムは一般モードで駆動される。この場合、システム部５４０は“０”の値を有する高級モードイネーブル信号（ＡＭ−ＥＮ）をコントロール部５３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部５５０に伝送し、インバータ部５５０は第１ＶＢＲ−Ｂ方式ディミング信号（ＶＢＲ−Ｂ１）を第１ＭＵＸ５３４を介してコントロール部５３０のタイミングコントローラ５３２に伝達する。
【０１１３】
第１ＶＢＲ−Ｂ方式ディミング信号（ＶＢＲ−Ｂ１）がアナログＤＣ電圧信号形式の場合、タイミングコントローラ５３２は変換されたＰＷＭ信号形式に変換する。そして、タイミングコントローラ５３２はコントラストの改善のための映像データの階調変換（例えば、データストレッチ）なく第１ＶＢＲ−Ｂ方式ディミング信号（ＶＢＲ−Ｂ１）を第２ＶＢＲ−Ｂ方式ディミング信号（ＶＢＲ−Ｂ２）で出力したり、階調変換されないデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【０１１４】
ＰＷＭ信号形式の第２ＶＢＲ−Ｂ方式ディミング信号（ＶＢＲ−Ｂ２）はインバータ部５５０に伝達され、インバータ部５５０はＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。これにより、前記駆動システムを含む液晶表示装置は、映像データの階調変換やコントラストの改善なくバックライトユニットの発光回数を減少させることによって消費電力が減少された一般モードで駆動される。
【０１１５】
一方、使用者の選択によって高級モードイネーブル信号（ＡＭ−ＥＮ）が“１”の値を有する場合、駆動システムは高級モードで駆動される。この場合、システム部５４０は“１”の値を有する高級モードイネーブル信号（ＡＭ−ＥＮ）をコントロール部５３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部５５０に伝送し、インバータ部５５０は第１ＶＢＲ−Ｂ方式ディミング信号（ＶＢＲ−Ｂ１）を第１ＭＵＸ５３４を介してコントロール部５３０のタイミングコントローラ５３２に伝達する。
【０１１６】
第１ＶＢＲ−Ｂ方式ディミング信号（ＶＢＲ−Ｂ１）がアナログＤＣ電圧信号形式の場合、タイミングコントローラ５３２は変換されたＰＷＭ信号形式に変換する。そして、タイミングコントローラ５３２はコントラストの改善及び消費電力の改善のために映像データの階調を変換して変換された映像データに対応する階調変換状態信号を出力する。また、タイミングコントローラ５３２は変換された映像データに対応する階調変換状態信号によって第１ＶＢＲ−Ｂ方式ディミング信号（ＶＢＲ−Ｂ１）を変調してコントラストの改善及び消費電力の改善のための第２ＶＢＲ−Ｂ方式ディミング信号（ＶＢＲ−Ｂ２）を出力する。
【０１１７】
ＰＷＭ信号形式の第２ＶＢＲ−Ｂ方式ディミング信号（ＶＢＲ−Ｂ２）はインバータ部５５０に伝達され、インバータ部５５０はＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。第２ＶＢＲ−Ｂ方式ディミング信号（ＶＢＲ−Ｂ２）は第１ＶＢＲ−Ｂ方式ディミング信号（ＶＢＲ−Ｂ１）に比べて発光回数と照度がさらに減少されるようにバックライトユニットを制御するので、前記駆動システムを含む液晶表示装置は、映像データの階調変換を行なってコントラスト及び消費電力が改善された高級モードで駆動される。
【０１１８】
前記のような駆動システムは、製造元にかかわりなくシステム回路部５４０の使用のために提案されたものであって、前記コントロール部５３０の第１コネクタ（ＣＮ１）と前記システム部５４０の第２コネクタ（ＣＮ２）それぞれには液晶表示装置の駆動モード、すなわち一般モードまたは高級モードの選択のための高級モードイネーブル信号（ＡＭ−ＥＮ）伝送用ピン１個だけがさらに必要であり、これはダミーピンを利用することが可能であるので、一般モードだけで駆動される液晶表示装置用システム部にも本発明の第２の実施の形態によるインバータ部５５０及びコントロール部５３０を適用できる。すなわち、新たなピン−マップの設計及び製作がなくてもＤＣＲまたはＯＰＣのようなコントラスト及び消費電力が改善された高級モード駆動の実現が可能であるので、本発明のインバータ部５５０及びコントロール部５３０を全てのシステム製造社の液晶表示装置のセットに汎用できる利点がある。
【０１１９】
一方、第５の実施の形態では、高級モードイネーブル信号（ＡＭ−ＥＮ）が第１及び第２コネクタ（ＣＮ１、ＣＮ２）と第１ケーブル（ＣＢ１）を介してシステム部５４０からコントロール部５３０に伝達されるが、他の実施の形態では、高級モードイネーブル信号（ＡＭ−ＥＮ）が第３及び第４コネクタ（ＣＮ３、ＣＮ４）と第２ケーブル（ＣＢ２）を介してシステム部５４０からインバータ部５５０に伝達されて再び第５及び第６コネクタ（ＣＮ５、ＣＮ６）と第３ケーブル（ＣＢ３）を介してインバータ部５５０からコントロール部５３０に伝達されることができる。
【０１２０】
この場合、高級モードイネーブル信号（ＡＭ−ＥＮ）がインバータ部５５０を経て（bypass）コントロール部５３０に伝達されるので、コントロール部５３０の第１コネクタ（ＣＮ１）と前記システム部５４０の第２コネクタ（ＣＮ２）には液晶表示装置の駆動モード、すなわち一般モードまたは高級モードの選択のための高級モードイネーブル信号（ＡＭ−ＥＮ）の伝送のための追加的なダミーピンさえも必要でなくなる。したがって、一般モードだけで駆動される液晶表示装置用システム部にも構造変更なしにコントラスト及び消費電力の改善のような高級モード駆動が可能な液晶表示装置用インバータ部及びコントロール部をさらに安定的に適用できる。すなわち、他の実施の形態によるインバータ部及びコントロール部は新たなピン−マップの設計及び製作がなくてもＤＣＲまたはＯＰＣのようなコントラスト及び消費電力が改善された高級モード駆動が可能であるので全てのシステム製造社別液晶表示装置のセットに汎用できる利点がある。
【０１２１】
図１１は、本発明の第６の実施の形態による液晶表示装置用バックライト駆動システムの構成を示した構成図であり、図１２は、図１１の駆動システムのタイミングコントローラを示した図面であり、図１３は、図１１の駆動システムのタイミングコントローラの判別部を示した図面である。図１１の駆動システムの構成は図４の場合と同様であるので同じ部分に対する説明は省略する。
【０１２２】
図１１に示したように、液晶表示装置のバックライト駆動システムは、コントロール部６３０とシステム部６４０とインバータ部６５０で構成され、液晶表示装置は、使用者の選択によってコントラストの改善なく消費電力が改善される一般モードまたはコントラスト及び消費電力が改善される高級モードで駆動される。
【０１２３】
コントロール部６３０とシステム部６４０はコントロール部６３０の第１コネクタ（ＣＮ１）とシステム部６４０の第２コネクタ（ＣＮ２）を連結する第１ケーブル（ＣＢ１）を介して連結され、システム部６４０とインバータ部６５０はシステム部６４０の第３コネクタ（ＣＮ３）とインバータ部６５０の第４コネクタ（ＣＮ４）を連結する第２ケーブル（ＣＢ２）を介して連結され、インバータ部６５０とコントロール部６３０はインバータ部６５０の第５コネクタ（ＣＮ５）とコントロール部６３０の第６コネクタ（ＣＮ６）を連結する第３ケーブル（ＣＢ３）を介して連結される。この時、第１ないし第３ケーブル（ＣＢ３）は少なくとも一つの伝送線で構成できる。ここで、第３及び第４コネクタ（ＣＮ３、ＣＮ４）それぞれは１４ピンで構成され、第５及び第６コネクタ（ＣＮ５、ＣＮ６）それぞれは４ピンで構成される。
【０１２４】
使用者は、液晶表示装置を一般モードまたはコントラスト及び消費電力の改善のような高級モードで駆動できるが、このために、システム部６４０は高級モードイネーブル信号（ＡＭ−ＥＮ）を生成して第１及び第２コネクタ（ＣＮ１、ＣＮ２）と第１信号ケーブル（ＣＢ１）を介してコントロール部６３０に直接伝送する。例えば、高級モードイネーブル信号（ＡＭ−ＥＮ）が“０”であれば、コントラストの改善駆動がオフされ、コントロール部６３０は映像データ階調変換等の動作なしにバックライト発光制御のための一般タイミングコントローラディミング信号を生成し、液晶表示装置は一般モードで動作する。他方、高級モードイネーブル信号（ＡＭ−ＥＮ）が“１”であれば、コントラスト及び消費電力の改善駆動がオンされ、コントロール部６３０は映像データ階調変換等の動作を行って前記階調変換に基づいてバックライト発光制御のための高級タイミングコントローラディミング信号を生成し、液晶表示装置はコントラスト及び消費電力が改善された高級モードで動作する。前記一般タイミングコントローラディミング信号及び高級タイミングコントローラディミング信号は第２ＶＢＲ−Ｂ方式ディミング信号（ＶＢＲ−Ｂ２）でインバータ部６５０に伝達される。
【０１２５】
前記システム部６４０は、前記コントロール部６３０に映像データとメインクロック、水平／垂直同期信号等を提供するＴＶシステムまたはグラフィックカードで、特に、液晶表示装置に構成されたバックライトの発光制御のために提供されるバックライト制御用ディミング信号の方式でアナログ電圧のみ提供するＶＢＲ−Ａ方式と、ＰＷＭ信号及びアナログ電圧の中選択された一つを提供するＶＢＲ−Ｂ方式がある。
【０１２６】
このうち、システム部６４０が提供する第１ＶＢＲ−Ｂ方式ディミング信号（ＶＲＢ−Ｂ１）はインバータ部６５０を介して（bypass）コントロール部６３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）は、システム部６４０とインバータ部６５０を連結する第３及び第４コネクタ（ＣＮ３、ＣＮ４）と第２信号ケーブル（ＣＢ２）を介してインバータ部６５０に伝送され、そのうち、第１ＶＢＲ−Ｂ方式ディミング信号（ＶＲＢ−Ｂ１）は、インバータ部６５０とコントロール部６３０を連結する第５及び第６コネクタ（ＣＮ５、ＣＮ６）と第３信号ケーブル（ＣＢ３）を介してコントロール部６３０に伝送される。
【０１２７】
インバータ部６５０は、バックライトの発光制御のためのインバータ回路を実装し、前記システム部６４０または前記コントロール部６３０から提供されるバックライト制御用ディミング信号によって前記バックライトの発光制御を行う。特に、前記インバータ部６５０は、前記システム部６４０から入力される第１ＶＢＲ−Ｂ方式ディミング信号（ＶＢＲ−Ｂ１）を前記コントロール部６３０に伝達（bypass）し、前記コントロール部６３０から第２ＶＢＲ−Ｂ方式ディミング信号（ＶＢＲ−Ｂ２）の入力を受けて前記バックライトの発光制御を行う。
【０１２８】
コントロール部６３０はタイミングコントローラ６３２を含むが、タイミングコントローラ６３２は集積回路の形態で構成されることができる。図１１に示さなかったが、タイミングコントローラ６３２はシステム部６４０から伝送された映像データ、メインクロック、水平同期信号及び垂直同期信号を利用してデータ信号を生成して液晶パネルに供給する。
【０１２９】
そして、図１２に示したように、タイミングコントローラ６３２は、データ変換部６３２ａと、ディミング信号判別部６３２ｂと、アナログ−ＰＷＭ変換部６３２ｃと、ディミング信号変調部６３２ｄを含む。インバータ部６５０を介してコントロール部６３０に伝達される第１ＶＢＲ−Ｂ方式ディミング信号（ＶＢＲ−Ｂ１）はＰＷＭ信号形式及びアナログＤＣ電圧信号形式の中一つの形式を有するが、第１ＶＢＲ−Ｂ方式ディミング信号（ＶＢＲ−Ｂ１）はディミング信号判別部６３２ｂに入力される。ディミング信号判別部６３２ｂは第１ＶＢＲ−Ｂ方式ディミング信号（ＶＢＲ−Ｂ１）の形式を判断するが、判断結果によって第１ＶＢＲ−Ｂ方式ディミング信号（ＶＢＲ−Ｂ１）をアナログ−ＰＷＭ変換部６３２ｃ及びディミング信号変調部６３２ｄの中一つに伝達する。
【０１３０】
例えば、第１ＶＢＲ−Ｂ方式ディミング信号（ＶＢＲ−Ｂ１）がＰＷＭ信号形式の場合に、ディミング信号判別部６３２ｂは第１ＶＢＲ−Ｂ方式ディミング信号（ＶＢＲ−Ｂ１）をディミング信号変調部６３２ｄに伝達する。そして、第１ＶＢＲ−Ｂ方式ディミング信号（ＶＢＲ−Ｂ１）がアナログＤＣ電圧信号形式の場合に、ディミング信号判別部６３２ｂは第１ＶＢＲ−Ｂ方式ディミング信号（ＶＢＲ−Ｂ１）をアナログ−ＰＷＭ変換部６３２ｃに伝達し、アナログ−ＰＷＭ変換部６３２ｃは第１ＶＢＲ−Ｂ方式ディミング信号（ＶＢＲ−Ｂ１）のアナログＤＣ電圧信号形式を変換されたＰＷＭ信号形式に変換する。変換されたＰＷＭ信号形式の第１ＶＢＲ−Ｂ方式ディミング信号（ＶＢＲ−Ｂ１）はディミング信号変調部６３２ｄに伝達される。ディミング信号変調部６３２ｄは第２ＶＢＲ−Ｂ方式ディミング信号（ＶＢＲ−Ｂ２）を出力し、出力された第２ＶＢＲ−Ｂ方式ディミング信号（ＶＢＲ−Ｂ２）は第３ケーブル（ＣＢ３）を介してインバータ部６５０に伝達される。
【０１３１】
図１３に示したように、ディミング信号判別部６３２ｂは、サンプリングクロック生成部６６２と、スキャン部６６４と、判断部６６６を含む。サンプリングクロック生成部６６２は第１ＶＢＲ−Ｂ方式ディミング信号（ＶＢＲ−Ｂ１）の形式を判断するためにあらかじめ定められた周波数、例えば１００ｋＨｚから１３５ｋＨｚ間の周波数を有するサンプリングクロックを供給する。スキャン部６６４はサンプリングクロックによってあらかじめ定められたスキャン区間、例えば１水平同期時間あるいは数水平同期時間の間第１ＶＢＲ−Ｂ方式ディミング信号（ＶＢＲ−Ｂ１）の電圧レベルを探知する。判断部６６６は最小電圧レベル、例えば０．０Ｖの探知可否によって第１ＶＢＲ−Ｂ方式ディミング信号（ＶＢＲ−Ｂ１）の形式を決定する。例えば、スキャン部６６４はスキャン区間の間サンプリングクロックの周波数によって第１ＶＢＲ−Ｂ方式ディミング信号（ＶＢＲ−Ｂ１）の電圧レベルをスキャニングする。その結果、最小電圧レベルが探知されない場合には、第１ＶＢＲ−Ｂ方式ディミング信号（ＶＢＲ−Ｂ１）はアナログＤＣ電圧信号形式に決定されてアナログ−ＰＷＭ変換部６３２ｃに伝達され、反対に最小電圧レベルが探知された場合には、第１ＶＢＲ−Ｂ方式ディミング信号（ＶＢＲ−Ｂ１）はＰＷＭ信号形式に決定されてディミング信号変調部６３２ｄに伝達される。
【０１３２】
第１ＶＢＲ−Ｂ方式ディミング信号（ＶＢＲ−Ｂ１）がアナログＤＣ電圧信号形式の場合、アナログ−ＰＷＭ変換部６３２ｃはアナログＤＣ電圧信号形式をデジタル信号形式に変換し、デジタル信号形式をアナログＤＣ電圧信号の電圧レベルに対応する高電位幅比率を有する変換されたＰＷＭ信号形式に再び変換する。ここで、アナログＤＣ電圧信号形式はアナログ−デジタル変換器を利用してデジタル信号形式に変換することができる。
【０１３３】
第６の実施の形態のタイミングコントローラ６３２におけるアナログＤＣ電圧信号から変換されたＰＷＭ信号への変換は第５の実施の形態のタイミングコントローラ５３２における変換と同様である。したがって、図１０を参照すると、アナログＤＣ電圧信号が０．０Ｖから３．３Ｖ間の電圧レベルを有する場合、変換されたＰＷＭ信号は３０％から１００％間の高電位幅比率を有することができる。例えば、アナログＤＣ電圧信号は、最大及び最小電圧レベル、すなわち０．０Ｖ及び３．３Ｖがそれぞれ３０％及び１００％の高電圧幅比率に対応するように変換されたＰＷＭ信号に変換することができる。また、電圧レベルと高電位幅比率の対応性は多様な実施の形態で相異なるように決定されることができる。
【０１３４】
アナログ−ＰＷＭ変換部６３２ｃの変換されたＰＷＭ信号形式の第１ＶＢＲ−Ｂ方式ディミング信号（ＶＢＲ−Ｂ１）またはシステム部６４０のＰＷＭ信号形式の第１ＶＢＲ−Ｂ方式ディミング信号（ＶＢＲ−Ｂ１）がディミング信号変調部６３２ｄに伝達されるので、システム部６４０のＶＢＲ−Ｂ方式ディミング信号の形式に関係なく、すなわちシステム部６４０の第１ＶＢＲ−Ｂ方式ディミング信号（ＶＢＲ−Ｂ１）がＰＷＭ信号形式の場合とアナログＤＣ電圧信号形式の場合全てディミング信号変調部６３２ｄは最終的にＰＷＭ信号形式の第１ＶＢＲ−Ｂ方式ディミング信号（ＶＢＲ−Ｂ１）の入力を受けるようになる。したがって、第１ＶＢＲ−Ｂ方式ディミング信号（ＶＢＲ−Ｂ１）がＰＷＭ信号形式の場合とアナログＤＣ電圧信号形式の場合いつもディミング信号変調部６３２ｄから出力される第２ＶＢＲ−Ｂ方式ディミング信号（ＶＢＲ−Ｂ２）はＰＷＭ信号形式を有する。
【０１３５】
一方、コントロール部６３０はシステム部６４０の高級モードイネーブル信号（ＡＭ−ＥＮ）にしたがって別に動作するようになるが、例えば、高級モードイネーブル信号（ＡＭ−ＥＮ）が“０”であれば、データ変換部６３２ａは映像データの階調を変換しなく階調変換がない映像データに対応する階調変換状態信号を出力する。したがって、映像データに対応するデータ信号がデータストレッチのような変換なしに液晶パネルに供給される。そして、ディミング信号判別部６３２ｂはＰＷＭ信号形式の第１ＶＢＲ−Ｂ方式ディミング信号（ＶＢＲ−Ｂ１）をディミング信号変調部６３２ｄに伝達し、アナログＤＣ電圧信号形式の第１ＶＢＲ−Ｂ方式ディミング信号（ＶＢＲ−Ｂ１）をアナログ−ＰＷＭ変換部６３２ｃに伝達する。アナログ−ＰＷＭ変換部６３２ｃは第１ＶＢＲ−Ｂ方式ディミング信号（ＶＢＲ−Ｂ１）のアナログＤＣ電圧信号形式を変換されたＰＷＭ信号形式に変換し、変換されたＰＷＭ信号形式の第１ＶＢＲ−Ｂ方式ディミング信号（ＶＢＲ−Ｂ１）はディミング信号変調部６３２ｄに伝達される。ディミング信号変調部６３２ｄはアナログ−ＰＷＭ変換部６３２ｃから変換されたＰＷＭ信号形式の第１ＶＢＲ−Ｂ方式ディミング信号（ＶＢＲ−Ｂ１）の入力を受けたりシステム部６４０からＰＷＭ信号形式の第１ＶＢＲ−Ｂ方式ディミング信号（ＶＢＲ−Ｂ１）の入力を受ける。そして、ディミング信号変調部６３２ｄはデータ変換がない映像データに対応する階調変換状態信号によって第１ＶＢＲ−Ｂ方式ディミング信号（ＶＢＲ−Ｂ１）をそのまま第２ＶＢＲ−Ｂ方式ディミング信号（ＶＢＲ−Ｂ２）で出力したり、または階調変換ないデータ信号に対応する階調変換状態信号によってデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【０１３６】
また、高級モードイネーブル信号（ＡＭ−ＥＮ）が“１”であれば、、データ変換部６３２ａは映像データの階調を変換して（例えば、データストレッチ）、階調変換された映像データに対応する階調変換状態信号を出力する。したがって、変換された映像データに対応するデータ信号が液晶パネルに供給される。そして、階調変換された映像データに対応する階調変換状態信号がデータ変換部６３２ａからディミング信号変調部６３２ｄに伝達される。ディミング信号判別部６３２ｂはＰＷＭ信号形式の第１ＶＢＲ−Ｂ方式ディミング信号（ＶＢＲ−Ｂ１）をディミング信号変調部６３２ｄに伝達し、アナログＤＣ電圧信号形式の第１ＶＢＲ−Ｂ方式ディミング信号（ＶＢＲ−Ｂ１）をアナログ−ＰＷＭ変換部６３２ｃに伝達する。アナログ−ＰＷＭ変換部６３２ｃは第１ＶＢＲ−Ｂ方式ディミング信号（ＶＢＲ−Ｂ１）のアナログＤＣ電圧信号形式を変換されたＰＷＭ信号形式に変換し、変換されたＰＷＭ信号形式の第１ＶＢＲ−Ｂ方式ディミング信号（ＶＢＲ−Ｂ１）はディミング信号変調部６３２ｄに伝達される。ディミング信号変調部６３２ｄはアナログ−ＰＷＭ変換部６３２ｃから変換されたＰＷＭ信号形式の第１ＶＢＲ−Ｂ方式ディミング信号（ＶＢＲ−Ｂ１）の入力を受けたりシステム部６４０からＰＷＭ信号形式の第１ＶＢＲ−Ｂ方式ディミング信号（ＶＢＲ−Ｂ１）の入力を受ける。また、ディミング信号変調部６３２ｄは階調変換された映像データに対応する階調変換状態信号によって第１ＶＢＲ−Ｂ方式ディミング信号（ＶＢＲ−Ｂ１）を変調及び合成して第２ＶＢＲ−Ｂ方式ディミング信号（ＶＢＲ−Ｂ２）を出力する。この時、第２ＶＢＲ−Ｂ方式ディミング信号（ＶＢＲ−Ｂ２）はデータ信号に同期化される。
【０１３７】
第１ＶＢＲ−Ｂ方式ディミング信号（ＶＢＲ−Ｂ１）は信号形式に関係なくディミング信号判別部６３２ｂに入力されるので、タイミングコントローラ６３２は第１ＶＢＲ−Ｂ方式ディミング信号（ＶＢＲ−Ｂ１）のための一つの入力端子、すなわちＤＩＭ入力端子（ＤＩＭ−ＩＮ）のみを含む。また、ディミング信号変調部６３２ｄは変換されたＰＷＭ信号形式の第１ＶＢＲ−Ｂ方式ディミング信号（ＶＢＲ−Ｂ１）またはＰＷＭ信号形式の第１ＶＢＲ−Ｂ方式ディミング信号（ＶＢＲ−Ｂ１）の入力を受けるので、ディミング信号変調部６３２ｄは常にＰＷＭ信号形式の第２ＶＢＲ−Ｂ方式ディミング信号（ＶＢＲ−Ｂ２）をインバータ部６５０に出力する。したがって、タイミングコントローラ６３２は第２ＶＢＲ−Ｂ方式ディミング信号（ＶＢＲ−Ｂ２）のための一つの出力端子、すなわちＰＷＭ出力端子（ＰＷＭ−ＯＵＴ）のみを含む。その結果、コントロール部６３０はＭＵＸが必要ないしその構成が簡単になる。そして、ＰＷＭ信号は同期化のための追加的な伝送線を必要としないので、第３ケーブル（ＣＢ３）の伝送線数も減少され、インバータ部６５０もＰＷＭ信号形式の第２ＶＢＲ−Ｂ方式ディミング信号（ＶＢＲ−Ｂ２）だけの入力を受けるのでその構成が簡単になる。
【０１３８】
そして、インバータ部６５０はシステム部６４０のＶＢＲ−Ａ方式ディミング信号（ＶＢＲ−Ａ）とコントロール部６３０の第２ＶＢＲ−Ｂ方式ディミング信号（ＶＢＲ−Ｂ２）を利用してバックライトユニットの発光回数（発光周期）及び照度を制御することによって、コントラスト及び消費電力を改善する。
【０１３９】
このような第６の実施の形態による駆動システムの動作を以下に要約して説明する。
【０１４０】
使用者の選択によって高級モードイネーブル信号（ＡＭ−ＥＮ）が“０”の値を有する場合、駆動システムは一般モードで駆動される。この場合、システム部６４０は“０”の値を有する高級モードイネーブル信号（ＡＭ−ＥＮ）をコントロール部６３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部６５０に伝送し、インバータ部６５０は第１ＶＢＲ−Ｂ方式ディミング信号（ＶＢＲ−Ｂ１）をコントロール部６３０のタイミングコントローラ６３２に伝達する。
【０１４１】
タイミングコントローラ６３２は、第１ＶＢＲ−Ｂ方式ディミング信号（ＶＢＲ−Ｂ１）の形式を判別して、第１ＶＢＲ−Ｂ方式ディミング信号（ＶＢＲ−Ｂ１）がアナログＤＣ電圧信号形式の場合タイミングコントローラ６３２は変換されたＰＷＭ信号形式に変換する。そして、タイミングコントローラ６３２は、コントラストの改善のための映像データの階調変換（例えば、データストレッチ）なく第１ＶＢＲ−Ｂ方式ディミング信号（ＶＢＲ−Ｂ１）を第２ＶＢＲ−Ｂ方式ディミング信号（ＶＢＲ−Ｂ２）で出力したり、階調変換されないデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【０１４２】
ＰＷＭ信号形式の第２ＶＢＲ−Ｂ方式ディミング信号（ＶＢＲ−Ｂ２）はインバータ部６５０に伝達され、インバータ部６５０はＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。これにより、前記駆動システムを含む液晶表示装置は、映像データの階調変換やコントラストの改善なくバックライトユニットの発光回数を減少させることによって消費電力が減少された一般モードで駆動される。
【０１４３】
一方、使用者の選択によって高級モードイネーブル信号（ＡＭ−ＥＮ）が“１”の値を有する場合、駆動システムは高級モードで駆動される。この場合、システム部６４０は“１”の値を有する高級モードイネーブル信号（ＡＭ−ＥＮ）をコントロール部６３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部６５０に伝送し、インバータ部６５０は第１ＶＢＲ−Ｂ方式ディミング信号（ＶＢＲ−Ｂ１）をコントロール部６３０のタイミングコントローラ６３２に伝達する。
【０１４４】
タイミングコントローラ６３２は第１ＶＢＲ−Ｂ方式ディミング信号（ＶＢＲ−Ｂ１）の形式を判別して、第１ＶＢＲ−Ｂ方式ディミング信号（ＶＢＲ−Ｂ１）がアナログＤＣ電圧信号形式の場合タイミングコントローラ６３２は変換されたＰＷＭ信号形式に変換する。そして、タイミングコントローラ６３２はコントラストの改善及び消費電力の改善のために映像データの階調を変換して変換された映像データに対応する階調変換状態信号を出力する。また、タイミングコントローラ６３２は変換された映像データに対応する階調変換状態信号によって第１ＶＢＲ−Ｂ方式ディミング信号（ＶＢＲ−Ｂ１）を変調してコントラストの改善及び消費電力の改善のための第２ＶＢＲ−Ｂ方式ディミング信号（ＶＢＲ−Ｂ２）を出力する。
【０１４５】
ＰＷＭ信号形式の第２ＶＢＲ−Ｂ方式ディミング信号（ＶＢＲ−Ｂ２）はインバータ部６５０に伝達され、インバータ部６５０はＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。第２ＶＢＲ−Ｂ方式ディミング信号（ＶＢＲ−Ｂ２）は第１ＶＢＲ−Ｂ方式ディミング信号（ＶＢＲ−Ｂ１）に比べて発光回数と照度がさらに減少されるようにバックライトユニットを制御するので、前記駆動システムを含む液晶表示装置は、映像データの階調変換を行なってコントラスト及び消費電力が改善された高級モードで駆動される。
【０１４６】
前記のような駆動システムは、製造元にかかわりなくシステム回路部６４０の使用のために提案されたものであって、前記コントロール部６３０の第１コネクタ（ＣＮ１）と前記システム部６４０の第２コネクタ（ＣＮ２）それぞれには液晶表示装置の駆動モード、すなわち一般モードまたは高級モードの選択のための高級モードイネーブル信号（ＡＭ−ＥＮ）伝送用ピン１個だけがさらに必要であり、これはダミーピンを利用することが可能であるので、一般モードだけで駆動される液晶表示装置用システム部にも本発明の第２実施の形態によるインバータ部６５０及びコントロール部６３０を適用できる。すなわち、新たなピン−マップの設計及び製作がなくてもＤＣＲまたはＯＰＣのようなコントラスト及び消費電力が改善された高級モード駆動の実現が可能であるので、本発明のインバータ部６５０及びコントロール部６３０を全てのシステム製造社の液晶表示装置のセットに汎用できる利点がある。
【０１４７】
一方、第６の実施の形態では、高級モードイネーブル信号（ＡＭ−ＥＮ）が第１及び第２コネクタ（ＣＮ１、ＣＮ２）と第１ケーブル（ＣＢ１）を介してシステム部６４０からコントロール部６３０に伝達されるが、他の実施の形態では、高級モードイネーブル信号（ＡＭ−ＥＮ）が第３及び第４コネクタ（ＣＮ３、ＣＮ４）と第２ケーブル（ＣＢ２）を介してシステム部６４０からインバータ部６５０に伝達されて再び第５及び第６コネクタ（ＣＮ５、ＣＮ６）と第３ケーブル（ＣＢ３）を介してインバータ部６５０からコントロール部６３０に伝達されることができる。
【０１４８】
この場合、高級モードイネーブル信号（ＡＭ−ＥＮ）がインバータ部６５０を経て（bypass）コントロール部６３０に伝達されるのでコントロール部６３０の第１コネクタ（ＣＮ１）と前記システム部６４０の第２コネクタ（ＣＮ２）には液晶表示装置の駆動モード、すなわち一般モードまたは高級モードの選択のための高級モードイネーブル信号（ＡＭ−ＥＮ）の伝送のための追加的なダミーピンさえも必要でなくなる。したがって、一般モードだけで駆動される液晶表示装置用システム部にも構造変更なしにコントラスト及び消費電力の改善のような高級モード駆動が可能な液晶表示装置用インバータ部及びコントロール部をさらに安定的に適用できる。すなわち、他の実施の形態によるインバータ部及びコントロール部は新たなピン−マップの設計及び製作がなくてもＤＣＲまたはＯＰＣのようなコントラスト及び消費電力が改善された高級モード駆動が可能であるので全てのシステム製造社別液晶表示装置のセットに汎用できる利点がある。
【０１４９】
図１４は、本発明の第７の実施の形態による液晶表示装置用バックライト駆動システムの構成を示した構成図であり、図１５は、図１４の駆動システムのタイミングコントローラを示した図面である。図１４の駆動システムの構成は図４の場合と同様であるので同じ部分に対する説明は省略する。
【０１５０】
図１４に示したように、液晶表示装置のバックライト駆動システムはコントロール部６３０とシステム部６４０とインバータ部６５０で構成され、液晶表示装置は使用者の選択によってコントラストの改善なく消費電力が改善される一般モードまたはコントラスト及び消費電力が改善される高級モードで駆動される。
【０１５１】
コントロール部７３０とシステム部７４０は、コントロール部７３０の第１コネクタ（ＣＮ１）とシステム部７４０の第２コネクタ（ＣＮ２）を連結する第１ケーブル（ＣＢ１）を介して連結され、システム部７４０とインバータ部７５０は、システム部７４０の第３コネクタ（ＣＮ３）とインバータ部７５０の第４コネクタ（ＣＮ４）を連結する第２ケーブル（ＣＢ２）を介して連結され、インバータ部７５０とコントロール部７３０は、インバータ部７５０の第５コネクタ（ＣＮ５）とコントロール部７３０の第６コネクタ（ＣＮ６）を連結する第３ケーブル（ＣＢ３）を介して連結される。この時、第１ないし第３ケーブル（ＣＢ３）は少なくとも一つの伝送線で構成できる。ここで、第３及び第４コネクタ（ＣＮ３、ＣＮ４）それぞれは１４ピンで構成され、第５及び第６コネクタ（ＣＮ５、ＣＮ６）それぞれは６ピンで構成される。
【０１５２】
使用者は液晶表示装置を一般モードまたはコントラスト及び消費電力の改善のような高級モードで駆動できるが、このために、システム部７４０は高級モードイネーブル信号（ＡＭ−ＥＮ）を生成して第１及び第２コネクタ（ＣＮ１、ＣＮ２）と第１信号ケーブル（ＣＢ１）を介してコントロール部７３０に直接伝送する。例えば、高級モードイネーブル信号（ＡＭ−ＥＮ）が“０”であれば、コントラストの改善駆動がオフされ、コントロール部７３０は映像データ階調変換等の動作なしにバックライト発光制御のための一般タイミングコントローラディミング信号を生成し、液晶表示装置は一般モードで動作し、高級モードイネーブル信号（ＡＭ−ＥＮ）が“１”であれば、コントラスト及び消費電力の改善駆動がオンされ、コントロール部７３０は映像データ階調変換等の動作を行って前記階調変換に基づいてバックライト発光制御のための高級タイミングコントローラディミング信号を生成し、液晶表示装置はコントラスト及び消費電力が改善された高級モードで動作する。前記一般タイミングコントローラディミング信号及び高級タイミングコントローラディミング信号は第２ＶＢＲ−Ｂ方式ディミング信号（ＶＢＲ−Ｂ２）でインバータ部７５０に伝達される。
【０１５３】
前記システム部７４０は、前記コントロール部７３０に映像データとメインクロック、水平／垂直同期信号等を提供するＴＶシステムまたはグラフィックカードで、特に液晶表示装置に構成されたバックライトの発光制御のために提供されるバックライト制御用ディミング信号の方式でアナログ電圧のみ提供するＶＢＲ−Ａ方式と、ＰＷＭ信号及びアナログ電圧の中選択された一つを提供するＶＢＲ−Ｂ方式がある。
【０１５４】
このうち、システム部６４０が提供する第１ＶＢＲ−Ｂ方式ディミング信号（ＶＲＢ−Ｂ１）はインバータ部７５０を介して（bypass）コントロール部７３０に伝送されるが、具体的に第１ＶＢＲ−Ｂ方式ディミング信号（ＶＲＢ−Ｂ１）とＶＢＲ−Ａ方式ディミング信号（ＶＢＲ−Ａ）はシステム部７４０とインバータ部７５０を連結する第３及び第４コネクタ（ＣＮ３、ＣＮ４）と第２信号ケーブル（ＣＢ２）を介してインバータ部７５０に伝送され、そのうち、第１ＶＢＲ−Ｂ方式ディミング信号（ＶＲＢ−Ｂ１）はインバータ部７５０とコントロール部７３０を連結する第５及び第６コネクタ（ＣＮ５、ＣＮ６）と第３信号ケーブル（ＣＢ３）を介してコントロール部７３０に伝送される。
【０１５５】
インバータ部７５０は、バックライトの発光制御のためのインバータ回路を実装し、前記システム部７４０または前記コントロール部７３０から提供されるバックライト制御用ディミング信号によって前記バックライトの発光制御を行う。特に、前記インバータ部７５０は、前記システム部７４０から入力される第１ＶＢＲ−Ｂ方式ディミング信号（ＶＢＲ−Ｂ１）を前記コントロール部７３０に伝達（bypass）して、前記コントロール部７３０から第２ＶＢＲ−Ｂ方式ディミング信号（ＶＢＲ−Ｂ２）の入力を受けて前記バックライトの発光制御を行う。
【０１５６】
コントロール部７３０は、タイミングコントローラ７３２と、第１及び第２ＭＵＸ７３４、７３６と、選択信号出力部７３８を含むが、タイミングコントローラ７３２は集積回路の形態で構成されることができる。図１４に示さなかったが、タイミングコントローラ７３２はシステム部７４０から伝送された映像データ、メインクロック、水平同期信号及び垂直同期信号を利用してデータ信号を生成して液晶パネルに供給する。
【０１５７】
そして、図１５に示したように、タイミングコントローラ７３２はデータ変換部７３２ａと、ディミング信号変調部７３２ｂを含む。インバータ部７５０を介してコントロール部７３０に伝達される第１ＶＢＲ−Ｂ方式ディミング信号（ＶＢＲ−Ｂ１）はＰＷＭ信号形式及びアナログＤＣ電圧信号形式の中一つの形式を有するが、第１ＶＢＲ−Ｂ方式ディミング信号（ＶＢＲ−Ｂ１）は第１ＭＵＸ７３４を介してディミング信号変調部７３２ｂに入力され、第２ＶＢＲ−Ｂ方式ディミング信号（ＶＢＲ−Ｂ２）は第２ＭＵＸ７３６を介してディミング信号変調部７３２ｂから出力される。出力された第２ＶＢＲ−Ｂ方式ディミング信号（ＶＢＲ−Ｂ２）は第３ケーブル（ＣＢ３）を介してインバータ部７５０に伝達される。
【０１５８】
一方、コントロール部７３０はシステム部７４０の高級モードイネーブル信号（ＡＭ−ＥＮ）にしたがって別に動作するようになるが、例えば、高級モードイネーブル信号（ＡＭ−ＥＮ）が“０”であれば、データ変換部７３２ａは映像データの階調を変換しなく階調変換がない映像データに対応する階調変換状態信号を出力する。したがって、映像データに対応するデータ信号がデータストレッチのような変換なしに液晶パネルに供給される。そして、ディミング信号変調部７３２ｂは階調変換ないデータ信号に対応する階調変換状態信号によって第１ＶＢＲ−Ｂ方式ディミング信号（ＶＢＲ−Ｂ１）をそのまま第２ＶＢＲ−Ｂ方式ディミング信号（ＶＢＲ−Ｂ２）で出力したり、または階調変換ないデータ信号に対応する階調変換状態信号によってデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【０１５９】
また、高級モードイネーブル信号（ＡＭ−ＥＮ）が“１”であれば、、データ変換部７３２ａは映像データの階調を変換して（例えば、データストレッチ）、階調変換された映像データに対応する階調変換状態信号を出力する。したがって、変換された映像データに対応するデータ信号が液晶パネルに供給される。そして、階調変換されたデータ信号に対応する階調変換状態信号がデータ変換部７３２ａからディミング信号変調部７３２ｂに伝達される。ディミング信号変調部７３２ｂは階調変換されたデータ信号に対応する階調変換状態信号によって第１ＶＢＲ−Ｂ方式ディミング信号（ＶＢＲ−Ｂ１）を変調及び合成して第２ＶＢＲ−Ｂ方式ディミング信号（ＶＢＲ−Ｂ２）を出力する。この時、第２ＶＢＲ−Ｂ方式ディミング信号（ＶＢＲ−Ｂ２）はデータ信号に同期化される。
【０１６０】
第１及び第２ＶＢＲ−Ｂ方式ディミング信号（ＶＢＲ−Ｂ１、ＶＢＲ−Ｂ２）それぞれはＰＷＭ信号及びアナログＤＣ電圧信号のうち一つをその形式で有することができるが、第１ＭＵＸ７３４の選択によってＰＷＭ信号形式である第１ＶＢＲ−Ｂ方式ディミング信号（ＶＢＲ−Ｂ１）はタイミングコントローラ７３２のＰＷＭ入力端子（ＰＷＭ−ＩＮ）に入力されてアナログＤＣ電圧信号形式である第１ＶＢＲ−Ｂ方式ディミング信号（ＶＢＲ−Ｂ１）はタイミングコントローラ７３２のＤＣ入力端子（ＤＣ−ＩＮ）に入力される。また、第２ＭＵＸ７３６の選択によってＰＷＭ信号形式である第２ＶＢＲ−Ｂ方式ディミング信号（ＶＢＲ−Ｂ２）はタイミングコントローラ７３２のＰＷＭ出力端子（ＰＷＭ−ＯＵＴ）に出力されてアナログＤＣ電圧信号形式である第２ＶＢＲ−Ｂ方式ディミング信号（ＶＢＲ−Ｂ２）はタイミングコントローラ７３２のＤＣ出力端子（ＤＣ−ＯＵＴ）に出力される。したがって、第１ＭＵＸ７３４は第１ＶＢＲ−Ｂ方式ディミング信号（ＶＢＲ−Ｂ１）用タイミングコントローラ７３２の入力端子を決定して、第２ＭＵＸ７３６は第２ＶＢＲ−Ｂ方式ディミング信号（ＶＢＲ−Ｂ２）用タイミングコントローラ７３２の出力端子を決定する。
【０１６１】
そしてタイミングコントローラ７３２はモード出力端子（ＲＥＦＭＯＤＥ）と同期出力端子（ＷＰＷＭ）をさらに含む。モード出力端子（ＲＥＦＭＯＤＥ）はＮＴＳＣ方式及びＰＡＬ方式等の映像表示方式に対応するモード信号を出力し、同期出力端子（ＷＰＷＭ）はデータ信号に対応する同期信号を出力する。ＰＷＭ信号とは違い、アナログＤＣ電圧信号はデータ信号に同期化されていないので、インバータ部７５０は同期出力端子（ＷＰＷＭ）から出力された同期信号を利用して第２ＶＢＲ−Ｂ方式ディミング信号（ＶＢＲ−Ｂ２）をデータ信号に同期化する。
【０１６２】
一方、コントロール部７３０の選択信号生成部７３８は第２ＶＢＲ−Ｂ方式ディミング信号（ＶＢＲ−Ｂ２）に対応する選択信号（Ｖｓｅｌ）を生成してインバータ部７５０に伝達する。例えば、選択信号生成部７３８は抵抗を利用したスイッチで構成することができて、選択信号は使用者の選択によって相異なる電圧で示すことができる。第２ＶＢＲ−Ｂ方式ディミング信号（ＶＢＲ−Ｂ２）と、選択信号（Ｖｓｅｌ）と、同期信号は第３ケーブル（ＣＢ３）を介してインバータ部７５０に伝達される。
【０１６３】
インバータ部７５０は選択部７５２と、アナログ−ＰＷＭ変換部７５４を含む。選択部７５２は選択信号（Ｖｓｅｌ）と第２ＶＢＲ−Ｂ方式ディミング信号（ＶＢＲ−Ｂ２）の入力を受ける。例えば、第２ＶＢＲ−Ｂ方式ディミング信号（ＶＢＲ−Ｂ２）がアナログＤＣ電圧信号形式の場合、選択部７５２は選択信号（Ｖｓｅｌ）にしたがって第２ＶＢＲ−Ｂ方式ディミング信号（ＶＢＲ−Ｂ２）をアナログ−ＰＷＭ変換部７５４に伝達し、アナログ−ＰＷＭ変換部７５４はコントロール部７３０のモード信号及び同期信号を考慮して２ＶＢＲ−Ｂ方式ディミング信号（ＶＢＲ−Ｂ２）のアナログＤＣ電圧信号形式を変換されたＰＷＭ信号形式に変換する。第２ＶＢＲ−Ｂ方式ディミング信号（ＶＢＲ−Ｂ２）がＰＷＭ信号形式の場合、選択部７５２は選択信号（Ｖｓｅｌ）にしたがってＰＷＭ信号形式の第２ＶＢＲ−Ｂ方式ディミング信号（ＶＢＲ−Ｂ２）を出力する。
【０１６４】
第２ＶＢＲ−Ｂ方式ディミング信号（ＶＢＲ−Ｂ２）がアナログＤＣ電圧信号形式の場合、アナログ−ＰＷＭ変換部７５４は先に第２ＶＢＲ−Ｂ方式ディミング信号（ＶＢＲ−Ｂ２）のアナログＤＣ電圧信号形式をデジタル信号形式に変換した次に、デジタル信号形式をアナログＤＣ電圧信号の電圧レベルに対応する高電位幅比率を有する変換されたＰＷＭ信号形式に再び変換する。ここで、アナログＤＣ電圧信号形式はアナログ−デジタル変換器を利用してデジタル信号形式に変換することができる。
【０１６５】
第７実施の形態のインバータ部７５０におけるアナログＤＣ電圧信号形式からＰＷＭ信号形式への変換は第５実施の形態のタイミングコントローラ５３２における変換と同様である。したがって、図１０を参照すると、アナログＤＣ電圧信号が０．０Ｖから３．３Ｖ間の電圧レベルを有する場合、変換されたＰＷＭ信号は３０％から１００％間の高電位幅比率を有することができる。例えば、アナログＤＣ電圧信号は、最大及び最小電圧レベル、すなわち０．０Ｖ及び３．３Ｖがそれぞれ３０％及び１００％の高電圧幅比率に対応するように変換されたＰＷＭ信号に変換することができる。また、電圧レベルと高電位幅比率の対応性は多様な実施の形態で相異なるように決定されることができる。アナログ−ＰＷＭ変換部７５４は変換されたＰＷＭ信号形式の第２ＶＢＲ−Ｂ方式ディミング信号（ＶＢＲ−Ｂ２）を出力する。
【０１６６】
結論的に、選択部７５２からＰＷＭ信号形式の第２ＶＢＲ−Ｂ方式ディミング信号（ＶＢＲ−Ｂ２）が出力されたり、アナログ−ＰＷＭ変換部７５４から変換されたＰＷＭ信号形式の第２ＶＢＲ−Ｂ方式ディミング信号（ＶＢＲ−Ｂ２）が出力されるので、システム部７４０のＶＢＲ−Ｂ方式ディミング信号の形式に関係なく、すなわちシステム部７４０の第１ＶＢＲ−Ｂ方式ディミング信号（ＶＢＲ−Ｂ１）がＰＷＭ信号形式の場合とアナログＤＣ電圧信号形式の場合全てインバータ部７５０は最終的にＰＷＭ信号形式の第２ＶＢＲ−Ｂ方式ディミング信号（ＶＢＲ−Ｂ２）を有するようになる。インバータ部７５０は第１ＶＢＲ−Ｂ方式ディミング信号（ＶＢＲ−Ｂ１）の種類に関係なくＰＷＭ信号形式の第２ＶＢＲ−Ｂ方式ディミング信号（ＶＢＲ−Ｂ２）を用いるようになるので、インバータ部７５０はその構成が簡単になる。
【０１６７】
このような第７の実施の形態による駆動システムの動作を以下に要約して説明する。
【０１６８】
使用者の選択によって高級モードイネーブル信号（ＡＭ−ＥＮ）が“０”の値を有する場合、駆動システムは一般モードで駆動される。この場合、システム部７４０は“０”の値を有する高級モードイネーブル信号（ＡＭ−ＥＮ）をコントロール部７３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部７５０に伝送し、インバータ部７５０は第１ＶＢＲ−Ｂ方式ディミング信号（ＶＢＲ−Ｂ１）をコントロール部７３０の第１ＭＵＸ７３４を介してタイミングコントローラ７３２に伝達する。
【０１６９】
タイミングコントローラ７３２はコントラストの改善のための映像データの階調変換（例えば、データストレッチ）なく第１ＶＢＲ−Ｂ方式ディミング信号（ＶＢＲ−Ｂ１）を第２ＶＢＲ−Ｂ方式ディミング信号（ＶＢＲ−Ｂ２）で出力したり、階調変換されないデータ信号に同期されるように第１ＶＢＲ−Ｂ方式ディミング信号（ＶＢＲ−Ｂ１）を変調して第２ＶＢＲ−Ｂ方式ディミング信号（ＶＢＲ−Ｂ２）で出力する。
【０１７０】
第２ＶＢＲ−Ｂ方式ディミング信号（ＶＢＲ−Ｂ２）は第２ＭＵＸ７４６を介してインバータ部７５０に入力される。また、コントロール部７３０の選択信号（Ｖｓｅｌ）、モード信号及び同期信号もインバータ部７５０に入力される。インバータ部７５０は選択信号（Ｖｓｅｌ）にしたがって、ＰＷＭ信号形式の第２ＶＢＲ−Ｂ方式ディミング信号（ＶＢＲ−Ｂ２）を出力したり、アナログＤＣ電圧信号形式の第２ＶＢＲ−Ｂ方式ディミング信号（ＶＢＲ−Ｂ２）をモード信号及び同期信号を利用して変換されたＰＷＭ信号形式の第２ＶＢＲ−Ｂ方式ディミング信号（ＶＢＲ−Ｂ２）に変換出力する。
【０１７１】
また、インバータ部７５０はＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。これにより、前記駆動システムを含む液晶表示装置は、映像データの階調変換やコントラストの改善なくバックライトユニットの発光回数を減少させることによって消費電力が減少された一般モードで駆動される。
【０１７２】
一方、使用者の選択によって高級モードイネーブル信号（ＡＭ−ＥＮ）が“１”の値を有する場合、駆動システムは高級モードで駆動される。この場合、システム部７４０は“１”の値を有する高級モードイネーブル信号（ＡＭ−ＥＮ）をコントロール部７３０に伝送し、ＶＢＲ−Ａ方式ディミング信号（ＶＢＲ−Ａ）及び第１ＶＢＲ−Ｂ方式ディミング信号（ＶＢＲ−Ｂ１）をインバータ部７５０に伝送し、インバータ部７５０は第１ＶＢＲ−Ｂ方式ディミング信号（ＶＢＲ−Ｂ１）をコントロール部７３０の第１ＭＵＸ７３４を介してタイミングコントローラ７３２に伝達する。
【０１７３】
タイミングコントローラ７３２はコントラストの改善及び消費電力の改善のために映像データの階調を変換して変換された映像データに対応する階調変換状態信号を出力する。また、タイミングコントローラ７３２は変換された映像データに対応する階調変換状態信号によって第１ＶＢＲ−Ｂ方式ディミング信号（ＶＢＲ−Ｂ１）を変調してコントラストの改善及び消費電力の改善のための第２ＶＢＲ−Ｂ方式ディミング信号（ＶＢＲ−Ｂ２）を出力する。
【０１７４】
第２ＶＢＲ−Ｂ方式ディミング信号（ＶＢＲ−Ｂ２）は第２ＭＵＸ７４６を介してインバータ部７５０に入力される。また、コントロール部７３０の選択信号（Ｖｓｅｌ）、モード信号及び同期信号もインバータ部７５０に入力される。インバータ部７５０は選択信号（Ｖｓｅｌ）にしたがって、ＰＷＭ信号形式の第２ＶＢＲ−Ｂ方式ディミング信号（ＶＢＲ−Ｂ２）を出力したり、アナログＤＣ電圧信号形式の第２ＶＢＲ−Ｂ方式ディミング信号（ＶＢＲ−Ｂ２）をモード信号及び同期信号を利用して変換されたＰＷＭ信号形式の第２ＶＢＲ−Ｂ方式ディミング信号（ＶＢＲ−Ｂ２）に変換出力する。
【０１７５】
また、インバータ部７５０は、ＶＢＲ−Ａ方式ディミング信号（ＶＢＲ−Ａ）及び第２ＶＢＲ−Ｂ方式ディミング信号（ＶＢＲ−Ｂ２）の中少なくとも一つを利用してバックライトユニットの発光回数（発光周期）及び照度を制御する。第２ＶＢＲ−Ｂ方式ディミング信号（ＶＢＲ−Ｂ２）は第１ＶＢＲ−Ｂ方式ディミング信号（ＶＢＲ−Ｂ１）に比べて発光回数と照度がさらに減少されるようにバックライトユニットを制御するので、前記駆動システムを含む液晶表示装置は、映像データの階調変換を行なってコントラスト及び消費電力が改善された高級モードで駆動される。
【０１７６】
前記のような駆動システムは、製造元にかかわりなくシステム回路部７４０の使用のために提案されたものであって、前記コントロール部７３０の第１コネクタ（ＣＮ１）と前記システム部７４０の第２コネクタ（ＣＮ２）それぞれには液晶表示装置の駆動モード、すなわち一般モードまたは高級モードの選択のための高級モードイネーブル信号（ＡＭ−ＥＮ）伝送用ピン１個だけがさらに必要であり、これはダミーピンを利用することが可能であるので、一般モードだけで駆動される液晶表示装置用システム部にも本発明の第２実施の形態によるインバータ部７５０及びコントロール部７３０を適用できる。すなわち、新たなピン−マップの設計及び製作がなくてもＤＣＲまたはＯＰＣのようなコントラスト及び消費電力が改善された高級モード駆動の実現が可能であるので、本発明のインバータ部７５０及びコントロール部７３０を全てのシステム製造社の液晶表示装置のセットに汎用できる利点がある。
【０１７７】
一方、第７の実施の形態では、高級モードイネーブル信号（ＡＭ−ＥＮ）が第１及び第２コネクタ（ＣＮ１、ＣＮ２）と第１ケーブル（ＣＢ１）を介してシステム部７４０からコントロール部７３０に伝達されるが、他の実施の形態では、高級モードイネーブル信号（ＡＭ−ＥＮ）が第３及び第４コネクタ（ＣＮ３、ＣＮ４）と第２ケーブル（ＣＢ２）を介してシステム部７４０からインバータ部７５０に伝達されて再び第５及び第６コネクタ（ＣＮ５、ＣＮ６）と第３ケーブル（ＣＢ３）を介してインバータ部７５０からコントロール部７３０に伝達されることができる。
【０１７８】
この場合、高級モードイネーブル信号（ＡＭ−ＥＮ）がインバータ部７５０を経て（bypass）コントロール部７３０に伝達されるのでコントロール部７３０の第１コネクタ（ＣＮ１）と前記システム部７４０の第２コネクタ（ＣＮ２）には液晶表示装置の駆動モード、すなわち一般モードまたは高級モードの選択のための高級モードイネーブル信号（ＡＭ−ＥＮ）の伝送のための追加的なダミーピンさえも必要でなくなる。したがって、一般モードだけで駆動される液晶表示装置用システム部にも構造変更なしにコントラスト及び消費電力の改善のような高級モード駆動が可能な液晶表示装置用インバータ部及びコントロール部をさらに安定的に適用できる。すなわち、他の実施の形態によるインバータ部及びコントロール部は新たなピン−マップの設計及び製作がなくてもＤＣＲまたはＯＰＣのようなコントラスト及び消費電力が改善された高級モード駆動が可能であるので全てのシステム製造社別液晶表示装置のセットに汎用できる利点がある。
【図面の簡単な説明】
【０１７９】
【図１】一般的な液晶表示装置の構成を概略的に示した図面。
【図２】従来技術による液晶表示装置でのコントラストの改善駆動方法を説明するための液晶表示装置駆動システム構成図。
【図３】本発明の第１の実施の形態による液晶表示装置のバックライト駆動システムの概念を説明するための構成図。
【図４】本発明の第２の実施の形態による液晶表示装置のバックライト駆動システムを説明するための構成図。
【図５】図４の駆動システムのタイミングコントローラを示した図面。
【図６】本発明の第３の実施の形態による液晶表示装置のバックライト駆動システムを説明するための図面。
【図７】本発明の第４の実施の形態による液晶表示装置のバックライト駆動システムを説明するための図面。
【図８】本発明の第５の実施の形態による液晶表示装置用バックライト駆動システムの構成を示した構成図。
【図９】図８の駆動システムのタイミングコントローラを示した図面。
【図１０】図８の駆動システムのタイミングコントローラにおけるアナログ−ＰＷＭ変換を示した図面。
【図１１】本発明の第６の実施の形態による液晶表示装置用バックライト駆動システムの構成を示した構成図。
【図１２】図１１の駆動システムのタイミングコントローラを示した図面。
【図１３】図１１の駆動システムのタイミングコントローラの判別部を示した図面。
【図１４】本発明の第７の実施の形態による液晶表示装置用バックライト駆動システムの構成を示した構成図。
【図１５】図１４の駆動システムのタイミングコントローラを示した図面。
【符号の説明】
【０１８０】
１３０、２３０、３３０、４３０、５３０、６３０、７３０：コントロール部
１４０、２４０、３４０、４４０、５４０、６４０、７４０：システム部
１５０、２５０、３５０、４５０、５５０、６５０、７５０：インバータ部
【図１】
0005432500.tif 000002
【図２】
0005432500.tif 000003
【図３】
0005432500.tif 000004
【図４】
0005432500.tif 000005
【図５】
0005432500.tif 000006
【図６】
0005432500.tif 000007
【図７】
0005432500.tif 000008
【図８】
0005432500.tif 000009
【図９】
0005432500.tif 000010
【図１０】
0005432500.tif 000011
【図１１】
0005432500.tif 000012
【図１２】
0005432500.tif 000013
【図１３】
0005432500.tif 000014
【図１４】
0005432500.tif 000015
【図１５】
0005432500.tif 000016